(57)【要約】【課題】移動局へのセクター負荷情報の伝達【解決手段】セクター負荷情報をワイヤレスコミュニケータに伝達する改良型サービス提供セクター選択メカニズムが提供される。ワイヤレスコミュニケータは、自己のアクティブセット（ＡＳ）内のセクターの各々（又は自己のアクティブセット（ＡＳ）内の全セクター）に関する搬送波−干渉（Ｃ／Ｉ）比測定値及びセクター負荷情報を使用して、最良のサービス提供セクターを決定することができる。【選択図】        図８
2007514378.tif 000002
【特許請求の範囲】
【請求項１】
各々が複数のセクターを具備する複数の遠隔局であって、セクター負荷情報を決定するプロセッサと、前記セクター負荷情報を送信する送信装置と、を具備する複数の遠隔局と、
現在のサービス提供セクターによって対応されるワイヤレスコミュニケータであって、前記ワイヤレスコミュニケータのアクティブセット（ＡＳ）内の各セクターに関する搬送波−干渉（Ｃ／Ｉ）比を測定するチャネル品質推定器と、前記ワイヤレスコミュニケータのアクティブセット（ＡＳ）内の全セクターに関する前記搬送波−干渉（Ｃ／Ｉ）比測定値を保存するメモリと、前記ＡＳセクターの各々に関する前記搬送波−干渉（Ｃ／Ｉ）比測定値及び前記セクター負荷情報に基づいて新たなサービス提供セクターを決定するプロセッサと、を具備するワイヤレスコミュニケータと、を具備するシステム。
【請求項２】
各セクターは、複数の近隣セクターを有し、前記現在のサービス提供セクターは、すべての近隣セクターに関する前記セクター負荷情報を前記ワイヤレスコミュニケータに送信する、請求項１に記載のシステム。
【請求項３】
前記セクター負荷情報は、ＰＮ＿ＯＦＦＳＥＴ値を含むＰＮ＿ＯＦＦＳＥＴフィールドと、対応する負荷値情報を含むＰＮ＿ＬＯＡＤフィールドと、を具備する負荷情報メッセージを具備する、請求項１に記載のシステム。
【請求項４】
前記セクター負荷情報は、チャネル割当てメッセージ（ＣＡＭ）内に含められる、請求項３に記載のシステム。
【請求項５】
前記セクター負荷情報は、ハンドオフディレクションメッセージ（ＨＤＭ）内に含められる、請求項３に記載のシステム。
【請求項６】
前記遠隔局は、専用チャネルを用いて前記セクター負荷情報を送信する、請求項１に記載のシステム。
【請求項７】
前記専用チャネルは、単一のワイヤレスコミュニケータに送信される順方向リンクチャネルである、請求項６に記載のシステム。
【請求項８】
前記専用チャネルは、順方向パケットデータチャネル（Ｆ−ＰＤＣＨ）である、請求項１に記載のシステム。
【請求項９】
前記遠隔局は、共通チャネルを用いて前記セクター負荷情報をマルチキャストする、請求項１に記載のシステム。
【請求項１０】
前記共通チャネルは、前記セクターによって対応されるすべてのワイヤレスコミュニケータに送信される順方向リンクチャネルである、請求項９に記載のシステム。
【請求項１１】
前記共通チャネルは、順方向パケットデータチャネル（Ｆ−ＰＤＣＨ）であり、単一のＦ−ＰＤＣＨメッセージは、２つ以上のセクターに関する負荷情報を搬送する、請求項１０に記載のシステム。
【請求項１２】
前記専用チャネルは、順方向パケットデータ制御チャネル（Ｆ−ＰＤＣＣＨ）である、請求項１０に記載のシステム。
【請求項１３】
前記セクター負荷情報は、ＰＮ＿ＯＦＦＳＥＴ値を含むＰＮ＿ＯＦＦＳＥＴフィールドと、対応する負荷値情報を含むＰＮ＿ＬＯＡＤフィールドと、を具備する負荷情報ブロードキャストメッセージを具備する、請求項１に記載のシステム。
【請求項１４】
前記負荷情報ブロードキャストメッセージは、ＭＡＣ＿ＩＤフィールド及びＷＡＬＳＨ＿ＭＡＳＫフィールドをさらに具備する、請求項１３に記載のシステム。
【請求項１５】
前記ＭＡＣ＿ＩＤが第１の値を有する場合は、前記遠隔局は、ＷＡＬＳＨ＿ＭＡＳＫフィールドを前記負荷情報ブロードキャストメッセージ内に含めてその他のフィールドを省略する、請求項１４に記載のシステム。
【請求項１６】
前記ＭＡＣ＿ＩＤが第２の値を有する場合は、前記遠隔局は、前記ＰＮ＿ＯＦＦＳＥＴフィールド及び前記ＰＮ＿ＬＯＡＤフィールドを前記負荷情報ブロードキャストメッセージ内に含める、請求項１４に記載のシステム。
【請求項１７】
前記ＭＡＣ＿ＩＤが第３の値を有する場合は、前記遠隔局は、前記Ｆ−ＰＤＣＨで送信される前記負荷情報ブロードキャストメッセージ内に前記ＰＮ＿ＯＦＦＳＥＴフィールド及び前記ＰＮ＿ＬＯＡＤフィールドを含める、請求項１４に記載のシステム。
【請求項１８】
前記ＭＡＣ＿ＩＤが別の値を有する場合は、前記遠隔局は、その他の残りのフィールドを前記負荷情報ブロードキャストメッセージ内に含め、前記ＷＡＬＳＨ＿ＭＡＳＫフィールド、前記ＰＮ＿ＯＦＦＳＥＴフィールド及び前記ＰＮ＿ＬＯＡＤフィールドを省略する、請求項１４に記載のシステム。
【請求項１９】
前記その他の残りのフィールドは、ＥＰ＿ＳＩＺＥフィールドと、ＡＣＩＤフィールドと、ＳＰＩＤフィールドと、ＡＩ＿ＳＮフィールドと、ＬＷＣＩフィールドと、ＥＸＴ＿ＭＳＧ＿ＴＹＰＥフィールドと、ＲＥＳＥＲＶＥＤフィールドと、を具備する、請求項１４に記載のシステム。
【請求項２０】
前記セクター負荷情報は、ＰＮ＿ＯＦＦＳＥＴ値を含むＰＮ＿ＯＦＦＳＥＴフィールドと、対応する負荷値情報を含むＰＮ＿ＬＯＡＤフィールドと、を具備する負荷情報ブロードキャストメッセージを具備し、前記ワイヤレスコミュニケータは、ＰＮ＿ＯＦＦＳＥＴの前記値が前記ＡＳセクターパイロットのうちのいずれかとマッチする場合に前記ＰＮ＿ＬＯＡＤ値を保存する、請求項１に記載のシステム。
【請求項２１】
前記ワイヤレスコミュニケータは、前記新たなサービス提供セクターを決定時点において、前記対応するＰＮ＿ＬＯＡＤ値に基づき、前記新たなサービス提供セクターを選択する際に使用される前記測定された搬送波−干渉（Ｃ／Ｉ）比値を修正する、請求項２０に記載のシステム。
【請求項２２】
前記ワイヤレスコミュニケータは、前記新たなサービス提供セクターを決定時点において、前記対応するＰＮ＿ＬＯＡＤ値を前記測定された搬送波−干渉（Ｃ／Ｉ）比値に加える、請求項２０に記載のシステム。
【請求項２３】
各セクターは、自己のセクター負荷情報に対応する負荷値を送信する、請求項１に記載のシステム。
【請求項２４】
複数のセクターを具備するする遠隔局であって、
セクター負荷情報を決定するプロセッサと、
前記セクター負荷情報を送信する送信装置と、を具備する遠隔局。
【請求項２５】
各セクターは、複数の近隣セクターを有し、現在のサービス提供セクターは、すべての近隣セクターに関する前記セクター負荷情報を送信する、請求項２４に記載の遠隔局。
【請求項２６】
前記セクター負荷情報は、ＰＮ＿ＯＦＦＳＥＴ値を含むＰＮ＿ＯＦＦＳＥＴフィールドと、対応する負荷値情報を含むＰＮ＿ＬＯＡＤフィールドと、を具備する負荷情報メッセージを具備する、請求項２４に記載の遠隔局。
【請求項２７】
前記セクター負荷情報は、チャネル割当てメッセージ（ＣＡＭ）内に含められる、請求項２６に記載の遠隔局。
【請求項２８】
前記セクター負荷情報は、ハンドオフディレクションメッセージ（ＨＤＭ）内に含められる、請求項２６に記載の遠隔局。
【請求項２９】
前記遠隔局は、専用チャネルを用いて前記セクター負荷情報を送信する、請求項２４に記載の遠隔局。
【請求項３０】
前記専用チャネルは、単一のワイヤレスコミュニケータに送信される順方向リンクチャネルである、請求項２９に記載の遠隔局。
【請求項３１】
前記専用チャネルは、順方向パケットデータチャネル（Ｆ−ＰＤＣＨ）である、請求項２４に記載の遠隔局。
【請求項３２】
前記遠隔局は、共通チャネルを用いて前記セクター負荷情報をマルチキャストする、請求項２４に記載の遠隔局。
【請求項３３】
前記共通チャネルは、前記セクターによって対応されるすべてのワイヤレスコミュニケータに送信される順方向リンクチャネルである、請求項３２に記載の遠隔局。
【請求項３４】
前記共通チャネルは、順方向パケットデータチャネル（Ｆ−ＰＤＣＨ）であり、単一のＦ−ＰＤＣＨメッセージは、２つ以上のセクターに関する負荷情報を搬送する、請求項３３に記載の遠隔局。
【請求項３５】
前記専用チャネルは、順方向パケットデータ制御チャネル（Ｆ−ＰＤＣＣＨ）である、請求項３３に記載の遠隔局。
【請求項３６】
前記セクター負荷情報は、ＰＮ＿ＯＦＦＳＥＴ値を含むＰＮ＿ＯＦＦＳＥＴフィールドと、対応する負荷値情報を含むＰＮ＿ＬＯＡＤフィールドと、を具備する負荷情報ブロードキャストメッセージを具備する、請求項２４に記載の遠隔局。
【請求項３７】
前記負荷情報ブロードキャストメッセージは、ＭＡＣ＿ＩＤフィールド及びＷＡＬＳＨ＿ＭＡＳＫフィールドをさらに具備する、請求項３６に記載の遠隔局。
【請求項３８】
前記ＭＡＣ＿ＩＤが第１の値を有する場合は、前記遠隔局は、前記ＷＡＬＳＨ＿ＭＡＳＫフィールドを前記負荷情報ブロードキャストメッセージ内に含めてその他のフィールドを省略する、請求項３７に記載の遠隔局。
【請求項３９】
前記ＭＡＣ＿ＩＤが第２の値を有する場合は、前記遠隔局は、前記ＰＮ＿ＯＦＦＳＥＴフィールド及び前記ＰＮ＿ＬＯＡＤフィールドを前記負荷情報ブロードキャストメッセージ内に含める、請求項３７に記載の遠隔局。
【請求項４０】
前記ＭＡＣ＿ＩＤが第３の値を有する場合は、前記遠隔局は、前記Ｆ−ＰＤＣＨで送信される前記負荷情報ブロードキャストメッセージ内に前記ＰＮ＿ＯＦＦＳＥＴフィールド及び前記ＰＮ＿ＬＯＡＤフィールドを含める、請求項３７に記載の遠隔局。
【請求項４１】
前記ＭＡＣ＿ＩＤが別の値を有する場合は、前記遠隔局は、その他の残りのフィールドを前記負荷情報ブロードキャストメッセージ内に含め、前記ＷＡＬＳＨ＿ＭＡＳＫフィールド、前記ＰＮ＿ＯＦＦＳＥＴフィールド及び前記ＰＮ＿ＬＯＡＤフィールドを省略する、請求項３７に記載の遠隔局。
【請求項４２】
前記その他の残りのフィールドは、ＥＰ＿ＳＩＺＥフィールドと、ＡＣＩＤフィールドと、ＳＰＩＤフィールドと、ＡＩ＿ＳＮフィールドと、ＬＷＣＩフィールドと、ＥＸＴ＿ＭＳＧ＿ＴＹＰＥフィールドと、ＲＥＳＥＲＶＥＤフィールドと、を具備する、請求項３７に記載の遠隔局。
【請求項４３】
各セクターは、自己のセクター負荷情報に対応する負荷値を送信する、請求項２４に記載の遠隔局。
【請求項４４】
現在のサービス提供セクターによって対応されるワイヤレスコミュニケータであって、
前記ワイヤレスコミュニケータのアクティブセット（ＡＳ）内の各セクターに関するセクター負荷情報を受け取る受信装置と、
前記ワイヤレスコミュニケータのアクティブセット（ＡＳ）内の各セクターに関する搬送波−干渉（Ｃ／Ｉ）比を測定するチャネル品質推定器と、
前記ワイヤレスコミュニケータのアクティブセット（ＡＳ）内の全セクターに関する前記搬送波−干渉（Ｃ／Ｉ）比測定値を保存するメモリと、
前記ＡＳセクターの各々に関する前記搬送波−干渉（Ｃ／Ｉ）比測定値及び前記セクター負荷情報に基づいて新たなサービス提供セクターを決定するプロセッサと、を具備するワイヤレスコミュニケータ。
【請求項４５】
各セクターは、複数の近隣セクターを有し、前記現在のサービス提供セクターは、すべての近隣セクターに関する前記セクター負荷情報を前記ワイヤレスコミュニケータに送信する、請求項４４に記載のワイヤレスコミュニケータ。
【請求項４６】
前記セクター負荷情報は、ＰＮ＿ＯＦＦＳＥＴ値を含むＰＮ＿ＯＦＦＳＥＴフィールドと、対応する負荷値情報を含むＰＮ＿ＬＯＡＤフィールドと、を具備する負荷情報メッセージを具備する、請求項４４に記載のワイヤレスコミュニケータ。
【請求項４７】
前記セクター負荷情報は、チャネル割当てメッセージ（ＣＡＭ）内に含められる、請求項４６に記載のワイヤレスコミュニケータ。
【請求項４８】
前記セクター負荷情報は、ハンドオフディレクションメッセージ（ＨＤＭ）内に含められる、請求項４６に記載のワイヤレスコミュニケータ。
【請求項４９】
前記セクター負荷情報は、専用チャネルで受け取られる、請求項４４に記載のワイヤレスコミュニケータ。
【請求項５０】
前記専用チャネルは、前記ワイヤレスコミュニケータのみに送信される順方向リンクチャネルである、請求項４９に記載のワイヤレスコミュニケータ。
【請求項５１】
前記専用チャネルは、順方向パケットデータチャネル（Ｆ−ＰＤＣＨ）である、請求項４４に記載のワイヤレスコミュニケータ。
【請求項５２】
前記セクター負荷情報は、共通チャネルで受け取られる、請求項４４に記載のワイヤレスコミュニケータ。
【請求項５３】
前記共通チャネルは、前記セクターによって対応される２つ以上のワイヤレスコミュニケータに送信される順方向リンクチャネルである、請求項５２に記載のワイヤレスコミュニケータ。
【請求項５４】
前記共通チャネルは、順方向パケットデータチャネル（Ｆ−ＰＤＣＨ）であり、単一のＦ−ＰＤＣＨメッセージは、２つ以上のセクターに関する負荷情報を搬送する、請求項５３に記載のワイヤレスコミュニケータ。
【請求項５５】
前記専用チャネルは、順方向パケットデータ制御チャネル（Ｆ−ＰＤＣＣＨ）である、請求項５３に記載のワイヤレスコミュニケータ。
【請求項５６】
前記セクター負荷情報は、ＰＮ＿ＯＦＦＳＥＴ値を含むＰＮ＿ＯＦＦＳＥＴフィールドと、対応する負荷値情報を含むＰＮ＿ＬＯＡＤフィールドと、を具備する負荷情報ブロードキャストメッセージを具備する、請求項４４に記載のワイヤレスコミュニケータ。
【請求項５７】
前記負荷情報ブロードキャストメッセージは、ＭＡＣ＿ＩＤフィールド及びＷＡＬＳＨ＿ＭＡＳＫフィールドをさらに具備する、請求項５６に記載のワイヤレスコミュニケータ。
【請求項５８】
前記ＭＡＣ＿ＩＤが第１の値を有する場合は、前記負荷情報ブロードキャストメッセージは、ＷＡＬＳＨ＿ＭＡＳＫフィールドを含めてその他のフィールドを省略する、請求項５７に記載のワイヤレスコミュニケータ。
【請求項５９】
前記ＭＡＣ＿ＩＤが第２の値を有する場合は、前記負荷情報ブロードキャストメッセージは、前記ＰＮ＿ＯＦＦＳＥＴフィールド及び前記ＰＮ＿ＬＯＡＤフィールドを含む、請求項５７に記載のワイヤレスコミュニケータ。
【請求項６０】
前記ＭＡＣ＿ＩＤが第３の値を有する場合は、前記負荷情報ブロードキャストメッセージは、前記ＰＮ＿ＯＦＦＳＥＴフィールド及び前記ＰＮ＿ＬＯＡＤフィールドを含み、前記Ｆ−ＰＤＣＨを通じて受け取られる、請求項５７に記載のワイヤレスコミュニケータ。
【請求項６１】
前記ＭＡＣ＿ＩＤが別の値を有する場合は、前記負荷情報ブロードキャストメッセージは、その他の残りのフィールドを含み、前記ＷＡＬＳＨ＿ＭＡＳＫフィールド、前記ＰＮ＿ＯＦＦＳＥＴフィールド及び前記ＰＮ＿ＬＯＡＤフィールドを含まない、請求項５７に記載のワイヤレスコミュニケータ。
【請求項６２】
前記その他の残りのフィールドは、ＥＰ＿ＳＩＺＥフィールドと、ＡＣＩＤフィールドと、ＳＰＩＤフィールドと、ＡＩ＿ＳＮフィールドと、ＬＷＣＩフィールドと、ＥＸＴ＿ＭＳＧ＿ＴＹＰＥフィールドと、ＲＥＳＥＲＶＥＤフィールドと、を具備する、請求項５７に記載のワイヤレスコミュニケータ。
【請求項６３】
前記セクター負荷情報は、ＰＮ＿ＯＦＦＳＥＴ値を含むＰＮ＿ＯＦＦＳＥＴフィールドと、対応する負荷値情報を含むＰＮ＿ＬＯＡＤフィールドと、を具備する負荷情報ブロードキャストメッセージを具備し、前記メモリは、ＰＮ＿ＯＦＦＳＥＴの前記値が前記ＡＳセクターパイロットのうちのいずれかとマッチすると前記プロセッサが決定した場合に前記ＰＮ＿ＬＯＡＤ値を保存する、請求項４４に記載のワイヤレスコミュニケータ。
【請求項６４】
前記プロセッサは、前記新たなサービス提供セクターを決定時点において、前記対応するＰＮ＿ＬＯＡＤ値に基づき、前記新たなサービス提供セクターを選択する際に使用される前記測定された搬送波−干渉（Ｃ／Ｉ）比値を修正する、請求項６３に記載のワイヤレスコミュニケータ。
【請求項６５】
前記プロセッサは、前記新たなサービス提供セクターを決定時点において、前記対応するＰＮ＿ＬＯＡＤ値を前記測定された搬送波−干渉（Ｃ／Ｉ）比値に加える、請求項６３に記載のワイヤレスコミュニケータ。
【請求項６６】
各セクターは、自己のセクター負荷情報に対応する負荷値を送信する、請求項４４に記載のワイヤレスコミュニケータ。
【請求項６７】
現在のサービス提供セクターを具備する複数のセクターに関するセクター負荷情報を決定し、前記セクター負荷情報を送信することと、
アクティブセット（ＡＳ）内の各セクターに関する前記搬送波−干渉（Ｃ／Ｉ）比を測定することと、
前記アクティブセット（ＡＳ）内の全セクターに関する前記搬送波−干渉（Ｃ／Ｉ）比を保存することと、    
前記ＡＳセクターの各々に関する前記搬送波−干渉（Ｃ／Ｉ）比測定値及び前記セクター負荷情報に基づいて新たなサービス提供セクターを決定すること、とを具備する方法。
【請求項６８】
各セクターは、複数の近隣セクターを有し、前記現在のサービス提供セクターは、すべての近隣セクターに関する前記セクター負荷情報を送信する、請求項６７に記載の方法。
【請求項６９】
前記セクター負荷情報は、
前記セクター負荷情報は、ＰＮ＿ＯＦＦＳＥＴ値を含むＰＮ＿ＯＦＦＳＥＴフィールドと、対応する負荷値情報を含むＰＮ＿ＬＯＡＤフィールドと、を具備する負荷情報メッセージを具備する、請求項６７に記載の方法。
【請求項７０】
前記セクター負荷情報は、専用チャネルで送信される、請求項６７に記載の方法。
【請求項７１】
前記専用チャネルは、順方向パケットデータチャネル（Ｆ−ＰＤＣＨ）である、請求項６７に記載の方法。
【請求項７２】
前記セクター負荷情報は、共通チャネルでマルチキャストされる、請求項６７に記載の方法。
【請求項７３】
前記セクター負荷情報は、ＰＮ＿ＯＦＦＳＥＴ値を含むＰＮ＿ＯＦＦＳＥＴフィールドと、対応する負荷値情報を含むＰＮ＿ＬＯＡＤフィールドと、を具備する負荷情報ブロードキャストメッセージを具備する、請求項６７に記載の方法。
【請求項７４】
前記セクター負荷情報は、ＰＮ＿ＯＦＦＳＥＴ値を含むＰＮ＿ＯＦＦＳＥＴフィールドと、対応する負荷値情報を含むＰＮ＿ＬＯＡＤフィールドと、を具備する負荷情報ブロードキャストメッセージを具備し、前記ＰＮ＿ＬＯＡＤ値は、ＰＮ＿ＯＦＦＳＥＴの前記値が前記ＡＳセクターパイロットのうちのいずれかとマッチする場合に保存される、請求項６７に記載の方法。
【請求項７５】
前記新たなサービス提供セクターを決定時点において、前記対応するＰＮ＿ＬＯＡＤ値に基づいて、前記新たなサービス提供セクターを選択する際に用いられる前記測定された搬送波−干渉（Ｃ／Ｉ）比値を修正する、請求項７４に記載の方法。
【請求項７６】
各セクターは、自己のセクター負荷情報に対応する負荷値を送信する、請求項６７に記載の方法。
【請求項７７】
セクター負荷情報を決定することと、
前記セクター負荷情報を送信すること、とを具備する方法。
【請求項７８】
各セクターは、複数の近隣セクターを有し、現在のサービス提供セクターは、すべての近隣セクターに関する前記セクター負荷情報を送信する、請求項７７に記載の方法。
【請求項７９】
前記セクター負荷情報は、ＰＮ＿ＯＦＦＳＥＴ値を含むＰＮ＿ＯＦＦＳＥＴフィールドと、対応する負荷値情報を含むＰＮ＿ＬＯＡＤフィールドと、を具備する負荷情報メッセージを具備する、請求項７７に記載の方法。
【請求項８０】
前記遠隔局は、専用チャネルを用いて前記セクター負荷情報を送信する、請求項７７に記載の方法。
【請求項８１】
前記専用チャネルは、順方向パケットデータチャネル（Ｆ−ＰＤＣＨ）である、請求項７７に記載の方法。
【請求項８２】
前記遠隔局は、共通チャネルを用いて前記セクター負荷情報をマルチキャストする、請求項７７に記載の方法。
【請求項８３】
前記セクター負荷情報は、ＰＮ＿ＯＦＦＳＥＴ値を含むＰＮ＿ＯＦＦＳＥＴフィールドと、対応する負荷値情報を含むＰＮ＿ＬＯＡＤフィールドと、を具備する負荷情報ブロードキャストメッセージを具備する、請求項７７に記載の方法。
【請求項８４】
各セクターは、自己のセクター負荷情報に対応する負荷値を送信する、請求項７７に記載の方法。
【請求項８５】
現在のサービス提供セクターによって対応されているワイヤレスコミュニケータとともに使用する方法であって、
前記ワイヤレスコミュニケータのアクティブセット（ＡＳ）内の各セクターに関するセクター負荷情報を受け取ることと、
前記ワイヤレスコミュニケータのアクティブセット（ＡＳ）内の各セクターに関する前記搬送波−干渉（Ｃ／Ｉ）比を測定することと、
前記ワイヤレスコミュニケータのアクティブセット（ＡＳ）内の全セクターに関する前記搬送波−干渉（Ｃ／Ｉ）比測定値を保存することと、
前記ＡＳセクターの各々に関する前記搬送波−干渉（Ｃ／Ｉ）比測定値及び前記セクター負荷情報に基づいて新たなサービス提供セクターを決定すること、とを具備する方法。
【請求項８６】
各セクターは、複数の近隣セクターを有し、前記現在のサービス提供セクターは、すべての近隣セクターに関する前記セクター負荷情報を前記ワイヤレスコミュニケータに送信する、請求項８５に記載の方法。
【請求項８７】
前記セクター負荷情報は、ＰＮ＿ＯＦＦＳＥＴ値を含むＰＮ＿ＯＦＦＳＥＴフィールドと、対応する負荷値情報を含むＰＮ＿ＬＯＡＤフィールドと、を具備する負荷情報メッセージを具備する、請求項８５に記載の方法。
【請求項８８】
前記セクター負荷情報は、専用チャネルを通じて受け取られる、請求項８５に記載の方法。
【請求項８９】
前記専用チャネルは、順方向パケットデータチャネル（Ｆ−ＰＤＣＨ）である、請求項８５に記載の方法。
【請求項９０】
前記セクター負荷情報は、共通チャネルを通じて受け取られる、請求項８５に記載の方法。
【請求項９１】
前記セクター負荷情報は、ＰＮ＿ＯＦＦＳＥＴ値を含むＰＮ＿ＯＦＦＳＥＴフィールドと、対応する負荷値情報を含むＰＮ＿ＬＯＡＤフィールドと、を具備する負荷情報ブロードキャストメッセージを具備する、請求項８５に記載の方法。
【請求項９２】
前記セクター負荷情報は、ＰＮ＿ＯＦＦＳＥＴ値を含むＰＮ＿ＯＦＦＳＥＴフィールドと、対応する負荷値情報を含むＰＮ＿ＬＯＡＤフィールドと、を具備する負荷情報ブロードキャストメッセージを具備し、前記メモリは、前記ＰＮ＿ＯＦＦＳＥＴ値が前記ＡＳセクターパイロッのうちのいずれかとマッチすると前記プロセッサが決定した場合に前記ＰＮ＿ＬＯＡＤ値を保存する、請求項８５に記載の方法。
【請求項９３】
前記プロセッサは、前記新たなサービス提供セクターを決定時点において、前記対応するＰＮ＿ＬＯＡＤ値に基づき、前記新たなサービス提供セクターを選択する際に用いられる前記測定された搬送波−干渉（Ｃ／Ｉ）比値を修正する、請求項９２に記載の方法。
【請求項９４】
各セクターは、自己のセクター負荷情報に対応する負荷値を送信する、請求項８５に記載の方法。
【発明の詳細な説明】
【技術分野】
【０００１】
本特許出願は、本特許出願の譲受人に対して譲渡されており更に本明細書において参照することによって明示で本明細書に組み入れられている"CONVEYING SECTOR LOAD INFORMATION TO MOBILE STATIONS"（移動局へのセクター負荷情報の伝達）という題名の仮特許出願番号 ６０／５２９，１３４(出願日:  ２００３年１２月１１日)に対する優先権を主張するものである。
【０００２】
本発明は、一般的には、通信に関するものである。本発明は、より具体的には、サービス提供セクターを選択するための斬新で改良された方法及び装置に関するものである。
【背景技術】
【０００３】
音声及びデータ等の様々な型の通信を提供することを目的とした無線通信システムが幅広く展開されている。これらのシステムは、符号分割多元接続（ＣＤＭＡ）、時分割多元接続（ＴＤＭＡ）、又はその他の幾つかの多元接続技術に基づくことができる。ＣＤＭＡシステムは、その他の型のシステムよりも幾つかの点で有利である（例えば、システム容量の増大）。
【０００４】
ＣＤＭＡシステムは、（１）「デュアルモード広帯域拡散スペクトルセルラーシステムに関するＴＩＡ／ＥＩＡ−９５−Ｂ移動局−基地局適合性規格」（ＩＳ−９５規格）、（２）「第三世代パートナーシッププロジェクト」（３ＧＰＰ）と呼ばれるコンソーシアムによって提供され、文書番号３Ｇ  ＴＳ  ２５．２１１，３Ｇ  ＴＳ  ２５．２１２，  ３Ｇ  ＴＳ  ２５．２１３，及び３Ｇ  ＴＳ  ２５．２１４を含む一組の文書において具体化されている規格（Ｗ−ＣＤＭＡ規格）、（３）「第三世代パートナーシッププロジェクト２」（３ＧＰＰ２）と呼ばれるコンソーシアムによって提供され、「ｃｄｍａ２０００拡散スペクトルシステムに関するＴＲ−４５．５物理レイヤ規格」において具体化されている規格（ＩＳ−２０００規格）、及び（４）その他の幾つかの規格、等の１つ以上のＣＤＭＡ規格をサポートするように設計することができる。
【０００５】
上記の規格においては、利用可能なスペクトルが複数のユーザー間で同時に共有され、更に、遅延の影響を受けやすいサービス（音声、等）をサポートする上で十分な品質を維持するための技術（電力制御及びソフトハンドオフ、等）が採用されている。更に、データサービスも利用可能である。それよりも最近では、より高次の変調、移動局からの超高速の搬送波−干渉（Ｃ／Ｉ）比フィードバック、超高速スケジューリング、及び、遅延上の要求が緩いサービスに関するスケジューリングを用いてデータサービスに関する能力を向上させるシステムが提案されている。これらの技術を用いたデータ専用通信システムの一例は、ＴＩＡ／ＥＩＡ／ＩＳ−８５６規格（ＩＳ−８５６規格）に準拠した高データ速度（ＨＤＲ）システムである。
【０００６】
ＩＳ−８５６システムは、上記のその他の規格とは対照的に、１度に単一のユーザーに対してデータを送信するために各セル内において利用可能な全スペクトルを使用し、該ユーザーは、リンク品質及びその他の考慮事項（データのペンディング、等）に基づいて選択される。この際には、システムは、チャネルが良好時にはより多くの時間を費やしてより高速でデータを送信し、それによって、非効率的な速度での送信をサポートするために資源を投入するのを回避する。その結果、データ容量の増加、ピークデータ速度の上昇、及び平均スループットの向上を達成させることができる。
【０００７】
各システムは、遅延の影響を受けやすいデータ（例えば、ＩＳ−２０００規格においてサポートされている音声チャネル又はデータチャネル）に関するサポート機能に加えて、パケットデータサービス（例えば、ＩＳ−８５６規格において説明されているパケットデータサービス）に関するサポート機能をも組み入れることができる。１つの該システムは、「１ｘＥＶ−ＤＶに関する更新済み共同物理レイヤ案」という題名を有し、文書番号Ｃ５０−２００１０６１１−００９，Ｊｕｎｅ１１，２００１として３ＧＰＰ２に提出された提案、文書番号Ｃ５０−２００１０８２０−０１１，Ａｕｇｕｓｔ  ２０，２００１として３ＧＰＰ２に提出された提案、文書番号Ｃ５０−２００１０８２０−０１１，Ａｕｇｕｓｔ  ２０，２００１として３ＧＰＰ２に提出された「Ｌ３ＮＱＳシミュレーション研究結果」、及び、文書番号Ｃ５０−２００１０８２０−０１２，Ａｕｇｕｓｔ  ２０，２００１として３ＧＰＰ２に提出された「ｃｄｍａ２０００  １ｘＥＶ−ＤＶに関するＬ３ＮＱＳフレームワーク案についてのシステムシミュレーション結果」、において説明されている。以下では、これらの文書、及び、後続して作成された関連文書（例えば、ＩＳ−２０００規格の改訂Ｃであり、Ｃ．Ｓ．０００１乃至Ｃ．Ｓ０００６．Ｃ、及び、Ｃ．Ｓ０００１．Ｄ乃至Ｃ．Ｓ０００６．Ｄを含む）は、１ｘＥＶ−ＤＶと呼ばれている。
【０００８】
１ｘＥＶ−ＤＶ
１ｘＥＶ−ＤＶ規格において説明されているシステム等のシステムは、一般的には、４つのクラスのチャネル、即ち、オーバーヘッドチャネル、動的に変化するＩＳ−９５チャネルとＩＳ−２０００チャネル、順方向パケットデータチャネル（Ｆ−ＰＤＣＨ）、及び幾つか予備チャネルを具備する。オーバーヘッドチャネルの割当ては変更が遅く、何ヶ月間も変わらないことがある。これらのチャネルは、大規模なネットワークコンフィギュレーションの変更時に変更されるのが一般的である。動的に変化するＩＳ−９５チャネル及びＩＳ−２０００チャネルは、１回の呼ごとに割り当てられるか又はＩＳ−９５又はＩＳ−２０００リリース０乃至Ｂパケットサービスに関して使用される。一般的には、オーバーヘッドチャネル及び動的変化チャネルが割り当てられた後の残りの利用可能な基地局電力は、残りのデータサービス用にＦ−ＰＤＣＨに割り当てられる。Ｆ−ＰＤＣＨは、遅延による影響がより低いデータサービスに関して使用され、ＩＳ−２０００チャネルは、遅延による影響をより受けやすいサービスに関して使用される。
【０００９】
Ｆ−ＰＤＣＨは、ＩＳ−８５６規格のトラフィックチャネルと同様に、１度に各セル内の１人のユーザーに対して、サポート可能な最高データ速度でデータを送信する。ＩＳ−８５６においては、データを移動局に送信時に基地局の全電力及びウォルシュ関数の全空間を利用可能である。しかしながら、提案されている１ｘＥＶ−ＤＶシステムにおいては、一部の基地局電力及びウォルシュ関数の一部は、オーバーヘッドチャネル及び既存のＩＳ−９５サービスとｃｄｍａ２０００サービスに対して割り当てられる。サポート可能なデータ速度は、主に、オーバーヘッドチャネル、ＩＳ−９５チャネル、及びＩＳ−２０００チャネルに関する電力及びウォルシュ符号が割り当てられた後に利用可能な電力及びウォルシュ符号に依存する。Ｆ−ＰＤＣＨで送信されたデータは、１つ以上のウォルシュ符号を用いて拡散される。
【００１０】
１ｘＥＶ−ＤＶシステムにおいては、基地局は、一般的には、Ｆ−ＰＤＣＨで１度に１つの移動局に送信するが、多くのユーザーが１つのセル内のパケットサービスを使用中の場合がある。（更に、これらの２人以上のユーザーに関する送信スケジューリングを行い更に電力及び／又はウォルシュチャネルを各ユーザーに適宜割り当てることによって、２人以上のユーザーに送信することも可能である。）移動局は、何らかのスケジューリングアルゴリズムに基づいて順方向リンク送信対象として選択される。
【００１１】
ＩＳ−８５６又は１ｘＥＶ−ＤＶに類似するシステムにおいては、スケジューリングは、部分的には、サービス提供対象となっている移動局からのチャネル品質のフィードバックに基づく。例えば、ＩＳ−８５６においては、移動局は、順方向リンクの品質を推定し、現在の状態に関して持続可能であることが予想される送信速度を計算する。更に、各移動局からの希望速度が基地局に送信される。スケジューリングアルゴリズムは、例えば、共有通信チャネルをより効率的に利用するために、相対的により高い送信速度をサポートする移動局を送信対象として選択する。別の一例として、１ｘＥＶ−ＤＶシステムにおいては、各移動局は、逆方向チャネル品質指標チャネル（Ｒ−ＣＱＩＣＨ）において、搬送波−干渉（Ｃ／Ｉ）推定値をチャネル品質推定値として送信する。更に、送信対象として選択される移動局及び該当する速度と送信フォーマットをチャネル品質に従って決定するためのスケジューリングアルゴリズムが使用される。スケジューリングアルゴリズムは、米国特許Ｎｏ．６，２２９，７９５において詳述されている比例的−公平アルゴリズム等の様々なスケジューリングアルゴリズムを実装することができる。
【００１２】
該システムにおいては、移動局は、サービスを提供する基地局から順方向リンクデータを受け取る。既述のように、移動局からサービス提供局への逆方向リンクのフィードバックは、順方向リンクのスケジューリング及び送信のために使用することができる。移動局は、順方向パケットデータチャネル（Ｆ−ＰＤＣＨ）を２つ以上の基地局から受け取ることはない。しかしながら、移動局は、逆方向リンク切換ダイバーシティを提供するために、１つ以上の非サービス提供基地局及び／又はセクターと逆方向リンクにおいてソフトハンドオフ状態になることができる。
【００１３】
改訂Ｃ以降のＣＤＭＡ２０００システムにおいては、順方向リンク（ＦＬ）パケットデータチャネル（Ｆ−ＰＤＣＨ）及び関連するパケットデータ制御チャネル（Ｆ−ＰＤＣＣＨ）が存在する。移動局（ＭＳ）は、現在のサービスを提供するＢＳセクターのみに関するＣ／Ｉを報告し、各基地局に関する順方向リンクチャネル品質（ＦＬ  Ｃ／Ｉとして測定）に基づいてＦ−ＰＤＣＨ及びＦ−ＰＤＣＣＨを提供する最良の順方向リンク基地局（ＢＳ）セクターを選択する。移動局（ＭＳ）は、メディアアクセス制御（ＭＡＣ）規格において説明されている切換手順に従って該基地局に切り換える。これらの手順の一例は、本特許出願の譲受人に対して譲渡され更に本明細書によって参照されることで明示でその全体が本明細書に組み入れられており、"Method and Apparatus for Controlling Communications of Data from Multiple Base Stations to a Mobile Station in a Communication System"（通信システムにおける複数の基地局から１つの移動局へのデータ通信の制御に関する方法及び装置）という題名を有する、米国特許出願一連番号１０／２７４，３４３（出願日：２００２年１０月１８日）において説明されている。
【発明の開示】
【発明が解決しようとする課題】
【００１４】
上記の向上にもかかわらず、改良されたサービス提供セクター選択メカニズムが必要である。  
【課題を解決するための手段】
【００１５】
本明細書において開示されている実施形態は、セクター負荷情報をワイヤレスコミュニケータに伝達することによって、改良されたサービス提供セクター選択メカニズムの必要性に対応するものである。一側面においては、ＭＳは、最良のサービス提供セクターを自律的に決定するために、自己のアクティブセット（ＡＳ）セクターの各々（又は自己のアクティブセット（ＡＳ）内の全セクター）に関する連続的な搬送波−干渉（Ｃ／Ｉ）比測定値及びセクター負荷情報を使用することができる。
【００１６】
一側面においては、各々が複数のセクターを具備する複数の遠隔局と、現在のサービス提供セクターによって対応されるワイヤレスコミュニケータと、を含むシステムが提供される。各セクターは、複数の近隣セクターを有することができる。各遠隔局は、セクター負荷情報を決定するプロセッサと、該セクター負荷情報を送信する送信装置と、を含む。ワイヤレスコミュニケータは、該ワイヤレスコミュニケータのアクティブセット（ＡＳ）内の各セクターに関する搬送波−干渉（Ｃ／Ｉ）比を測定するチャネル品質推定器と、該ワイヤレスコミュニケータのアクティブセット（ＡＳ）内の全セクターに関する搬送波−干渉（Ｃ／Ｉ）比測定値を保存するメモリと、ＡＳセクターの各々に関する搬送波−干渉（Ｃ／Ｉ）比測定値及びセクター負荷情報に基づいて新たなサービス提供セクターを自律的に決定するプロセッサと、を含む。一実施形態においては、現在のサービス提供セクターは、すべての近隣セクターに関するセクター負荷情報をワイヤレスコミュニケータに送信する。代替として、各セクターは、自己のセクター負荷情報に対応する負荷値を送信することができる。
【００１７】
もう１つの側面においては、複数のセクターと、１つのプロセッサと、１つの送信装置と、を含む遠隔局が提供される。各セクターは、複数の近隣セクターを有することができる。該プロセッサは、セクター負荷情報を決定し、該送信装置は、該セクター負荷情報を送信する。現在のサービス提供セクターは、すべての近隣セクターに関するセクター負荷情報を送信することができる。
【００１８】
さらにもう１つの側面においては、現在のサービス提供セクターによって対応されるワイヤレスコミュニケータが提供される。該ワイヤレスコミュニケータは、受信装置と、チャネル品質推定器と、メモリと、プロセッサと、を含む。該受信装置は、ワイヤレスコミュニケータのアクティブセット（ＡＳ）内の各セクターに関するセクター負荷情報を受信する。該チャネル品質推定器は、ワイヤレスコミュニケータのアクティブセット（ＡＳ）内の各セクターに関する搬送波−干渉（Ｃ／Ｉ）比を測定する。該メモリは、ワイヤレスコミュニケータのアクティブセット（ＡＳ）内の全セクターに関する搬送波−干渉（Ｃ／Ｉ）比測定値を保存する。該プロセッサは、ＡＳセクターの各々に関する搬送波−干渉（Ｃ／Ｉ）比測定値及びセクター負荷情報に基づいて新たなサービス提供セクターを自律的に決定する。
【００１９】
その他の様々な側面も提示される。本発明は、以下においてさらに詳細に説明されているように、本発明の様々な側面、実施形態、及び特長を実装する方法及びシステム要素を提供するものである。
【００２０】
本発明の特長、性質、及び利点は、下記の詳細な説明と図面を併用することでさらに明確になる。同一のものについては図面全体に渡って同一の参照番号を付けることとする。
【発明を実施するための最良の実施形態】
【００２１】
定義  
本明細書における「典型的」という表現は、「１つの例、事例、又は実例」であることを意味する。本明細書において「典型的実施形態」として記述されている実施形態は、その他の実施形態よりも優先されるか又は有利であることを必ずしも意味するわけではない。
【００２２】
本明細書における専用チャネルという表現は、特定のユーザー専用のトランスポートチャネルを意味する。専用チャネルは、特定の加入者装置／ユーザー装置への情報又は特定の加入者装置／ユーザー装置からの情報を搬送する。専用チャネル資源は、一定の周波数において一定のコードによって識別することができ、一般的には、単一ユーザー専用に確保されている。専用チャネルは、一般的には、物理レイヤよりも上方のレイヤから来る所定のユーザー向けの全情報（実際のサービスに関するデータ及びより高いレイヤの制御情報を含む）を搬送する。
【００２３】
本明細書における共通チャネルという表現は、複数の加入者装置／ＵＥへの／からの情報を搬送するトランスポートチャネルを意味する。共通チャネルは、特定のユーザー専用ではなく、すべての加入者装置／ＵＥ間において共有される搬送情報用である。共通チャネルは、１つのセル内の全ユーザー間で又は１つのグループのユーザー間で分割される。共通チャネルは、ソフトハンドオーバーを有さない。
【００２４】
本明細書におけるポイントツーポイント（ＰＴＰ）通信は、専用通信チャネルを通じて送信される通信を意味する。
【００２５】
本明細書におけるブロードキャスト通信又はポイントツーマルチポイント（ＰＴＭ）通信という表現は、１つの共通の通信チャネルを通じて複数の加入者局／ユーザー装置に対して行われる通信を意味する。
【００２６】
本明細書における物理チャネルという表現は、エアインタフェースを通じてユーザーデータ又は制御情報を搬送するチャネルを意味する。物理チャネルは、一般的には、周波数スクランブルコードとチャネル化コードの組合せを具備する。アップリンク方向においては、相対位相も含まれる。アップリンク方向では、加入者装置／ユーザー装置が何をしようと試みているかに基づいて幾つかの異なった物理チャネルが使用される。物理チャネルは、エアインタフェースを通じてデータを転送するために用いられる物理的マッピング及び属性によって定義される。物理チャネルは、情報が実際に転送されるときに通る無線プラットフォームを提供し更に無線リンクを通じてシグナリング及びユーザーデータを搬送する働きをする「送信媒体」である。
【００２７】
本明細書におけるトランスポートチャネルという表現は、ピア物理レイヤエンティティ間におけるデータ転送のための通信路を意味する。トランスポートチャネルは、物理レイヤにおいてエアインタフェースを通じてどのような方法でデータが転送されるか及びどのような特性を有する状態でデータが転送されるか（例えば、専用物理チャネル又は共通物理チャネルのいずれを使用するか、論理チャネルの多重化、等）によって定義される。トランスポートチャネルは、メディアアクセス制御（ＭＡＣ）レイヤと物理レイヤ（Ｌ１）との間においてシグナリング及びユーザーデータを搬送するために使用することができる。無線ネットワークコントローラ（ＲＮＣ）がトランスポートチャネルを監視する。情報は、物理チャネルにマッピングされた幾つかのトランスポートチャネルのうちのいずれか１つを通じてＭＡＣレイヤから物理レイヤに渡される。
【００２８】
論理チャネルは、特定の種類の情報の転送専用又は無線インタフェース専用の情報流である。論理チャネルは、ＭＡＣレイヤの最上部において提供される。論理チャネルは、転送される情報の種類（例えば、シグナリング又はユーザーデータ）によって定義され、ネットワーク及び端末が異なった時点において実施すべき異なったタスクであると理解することができる。
【００２９】
本明細書における逆方向リンク又はアップリンクチャネルという表現は、加入者装置／ユーザー装置が無線アクセスネットワーク（ＲＡＮ）内の基地局に信号を送るときの単方向通信チャネル／リンクを意味する。アップリンクチャネルは、移動局から移動局に又は移動局から基地局に信号を送信するために使用することもできる。
【００３０】
本明細書における順方向リンク又はダウンリンクチャネルという表現は、無線アクセスネットワーク（ＲＡＮ）がワイヤレスコミュニケータ／加入者装置／ユーザー装置に信号を送るときの通信チャネル／リンクを意味する。
【００３１】
本明細書における遠隔局／基地局／ノードＢという表現は、加入者局／ユーザー装置が通信信号を送る先であるハードウェア又は加入者局／ユーザー装置が受け取る通信信号の送り元であるハードウェアを意味する。セルは、ハードウェア又は地理的なカバレッジエリアであり、該用語が使用される前後関係に依存する。セクターは、セルの一区画である。セクターは、セルの属性を有するため、セルに関して説明されている教義は、セクターにも容易に拡大される。
【００３２】
本明細書におけるワイヤレスコミュニケータ／加入者局／ユーザー装置（ＵＥ）という表現は、アクセスネットワークが通信信号を送る先であるハードウェア又はアクセスネットワークが受け取る通信信号の送り元であるハードウェアを意味する。加入者局／ユーザー装置は、移動型又は静止型のいずれでもよい。ワイヤレスコミュニケータ／加入者局／ユーザー装置は、例えば光ファイバーケーブル又は同軸ケーブルを用いて無線チャネルを通じて又は有線チャネルを通じて通信するあらゆるデータデバイス又は端末である。更に、ワイヤレスコミュニケータ／加入者局／ユーザー装置は、幾つかの型のデバイス（例えば、ＰＣカード、コンパクトフラッシュ（登録商標）、外付けモデム、内部モデム、無線電話、有線電話、等であるが、これらのデバイスに限定するものではない）のうちのいずれかであることができる。
【００３３】
本明細書におけるソフトハンドオフという表現は、加入者局と、各々が異なったセルに属する２つ以上のセクターと、の間における通信を意味する。逆方向リンク通信は、両方のセクターによって受け取られ、順方向リンク通信は、これらの２つ以上のセクターの順方向リンクにおいて同時に搬送される。
【００３４】
本明細書におけるよりソフトなハンドオフという表現は、加入者局と、各々が同じセルに属する２つ以上のセクターと、の間における通信を意味する。逆方向リンク通信は、両方のセクターによって受け取られ、順方向リンク通信は、これらの２つ以上のセクターの順方向リンクのうちの１つにおいて同時に搬送される。
【００３５】
概要
以下では、１つの典型的通信システムについて説明される。次に、典型的ワイヤレスコミュニケータについて及びサービス提供セクターを選択する技術について説明される。次に、セクター負荷情報をワイヤレスコミュニケータに伝達する技術を利用したより最適なサービス提供セクター選択メカニズムについて説明される。一般的には、説明されている実施形態は、セクター負荷情報をワイヤレスコミュニケータに伝達する技術を提供することによって、改良されたサービス提供セクター選択メカニズムが必要であることに対応している。一側面においては、ワイヤレスコミュニケータは、新たな／最良のサービス提供セクターを自律的に決定するために、自己のアクティブセット（ＡＳ）のセクターの各々（又は、自己のアクティブセット（ＡＳ）内の全セクター）に関する連続的な搬送波−干渉（Ｃ／Ｉ）比測定値及びセクター負荷情報を使用することができる。
【００３６】
典型的通信システム
図１は、１つ以上のＣＤＭＡ規格及び／又は設計（Ｗ−ＣＤＭＡ規格、ＩＳ−９５規格、ｃｄｍａ２０００規格、ＨＤＲ仕様、１ｘＥＶ−ＤＶ規格、等）をサポートするように設計することができる無線通信システム１００の概略図である。代替実施形態においては、システム１００は、ＣＤＭＡシステム以外の無線規格又は設計を採用することもできる。
【００３７】
説明を単純化するために、システム１００は、２つの移動局１０６と通信する３つの基地局１０４を含むシステムが示されている。基地局及びそのカバレッジエリアは、総称して「セル」と呼ばれることがしばしばある。ＩＳ−９５システムにおいては、セルは、１つ以上のセクターを含む。Ｗ−ＣＤＭＡ仕様においては、基地局の各セクター及び該セクターのカバレッジエリアがセルと呼ばれている。実装対象となるＣＤＭＡシステムに依存して、各移動局１０６は、あらゆる所定の時点において順方向リンクで１つの（又はおそらくそれ以上の）基地局１０４と通信することができ、更に、該移動局がソフトハンドオフ状態であるかどうかに依存して１つ以上の基地局と逆方向リンクで通信することができる。順方向リンク（即ち、ダウンリンク）は基地局から移動局への送信を意味し、逆方向リンク（即ち、アップリンク）は、移動局から基地局への送信を意味する。
【００３８】
上述されているように、無線通信システム１００は、通信資源を同時に共有する多数のユーザーをサポートすることができ（ＩＳ−９５、等）、一度に１人のユーザーに全通信資源を割り当てることができ（ＩＳ−８５６、等）、又は、両方の型のアクセスを可能にするように通信資源を配分することができる。１ｘＥＶ−ＤＶシステムは、両方のアクセスの型の間において通信資源を分割し、ユーザーの要求に応じて該配分を動的に割り当てるシステム例である。
【００３９】
１ｘＥＶ−ＤＶシステムにおいては、基地局は、一般的には、多くのユーザーが１つのセル内においてパケットサービスを使用中である場合でも、Ｆ−ＰＤＣＨにおいて一度に１つの移動局に対して送信する。（１人以上のユーザーを対象にした送信をスケジューリングし、電力及び／又はウォルシュチャネルを各ユーザーに適宜割り当てることによって、２人以上のユーザーに送信することも可能である。）移動局は、スケジューリングアルゴリズムに基づいて順方向リンク送信の対象として選択される。
【００４０】
ＩＳ−８５６又は１ｘＥＶ−ＤＶと類似のシステムにおいては、スケジューリングの一部は、対応中の移動局からのチャネル品質フィードバックに基づいて行われる。例えば、ＩＳ−８５６においては、移動局は、順方向リンクの品質を推定し、現在の状態に関して持続可能であることが予想される送信速度を計算する。次に、各移動局からの希望速度が基地局に送信される。スケジューリングアルゴリズムは、例えば、共有されている通信チャネルをより効率的に利用するために、相対的により高い送信速度をサポートする移動局を送信対象として選択する。もう１つの例として、１ｘＥＶ−ＤＶシステムにおいては、各移動局は、逆方向チャネル品質指標チャネル（即ち、Ｒ−ＣＱＩＣＨ）において搬送波−干渉（Ｃ／Ｉ）推定値をチャネル品質推定値として送信する。スケジューリングアルゴリズムは、送信対象として選択される移動局を決定するため、及びチャネル品質に従って適切な速度と送信フォーマットを決定するために、使用される。
【００４１】
典型的チャネル
典型的データ通信システムは、様々な型の１つ以上のチャネルを含むことができる。より具体的には、１つ以上のチャネルが共通して展開される。更に、１つ以上の制御チャネルを展開することも一般的である。但し、インバンド制御シグナリングは、データチャネルに含めることができる。例えば、１ｘＥＶ−ＤＶシステムにおいては、順方向リンクにおける制御送信のための順方向パケットデータ制御チャネル（Ｆ−ＰＤＣＣＨ）及びデータ送信のための順方向パケットデータチャネル（Ｆ−ＰＤＣＨ）が定義されている。
【００４２】
順方向パケットデータチャネル（Ｆ−ＰＤＣＨ）は、高速動作トラフィックをサポートする共有パケットデータチャネルである。該チャネルへのアクセスは、ＭＡＣレイヤスケジューリングを通じて処理される。このチャネルは、適合型変調及び符号化であるためその他のあらゆるチャネルと異なる。更に、可変ウォルシュ符号空間が利用される。即ち、変調及び符号化は、移動局からのフィードバック情報に基づいたＭＡＣレイヤの指示に従ってフレームごとに変化することができる。フィードバック情報は、Ｒ−ＣＱＩＣＨ内に含められ（最も強力な受信Ｆ−ＰＩＣＨのパイロットチップエネルギーＥｃと総雑音密度Ｎｔの比、Ｅｃ／Ｎｔ、を報告する）、更に、Ｒ−ＡＣＫＣＨ内に含められる（フレームの受け取りが成功であったかどうかを示す）。選択された変調及び符号化は、利用可能なウォルシュ符号にも依存する。Ｆ−ＰＤＣＨは、その他のすべてのチャネルとは異なり、基地局における残りの資源のみを利用する。このことは、Ｆ−ＰＤＣＨによって費やされたウォルシュ符号空間に加えて電力も各フレームごとに変化する可能性があることを意味する。
【００４３】
順方向パケットデータ制御チャネル（Ｆ−ＰＤＣＣＨ）は、Ｆ−ＰＤＣＨ送信フォーマットに関する情報を伝達するために主に使用される共有チャネルである。Ｆ−ＰＤＣＨでのデータ送信には、Ｆ−ＰＤＣＣＨを通じて並行して送信されるレイヤ２制御情報が伴う。該制御情報は、関連するＦ−ＰＤＣＨフレームの正確な復調及び復号を可能にすることができる。
【００４４】
逆方向チャネル品質指標チャネル（Ｒ−ＣＱＩＣＨ）は、Ｆ−ＰＤＣＨを通じての適合型符号化及び変調に関するサポートチャネルである。該チャネルは、Ｆ−ＰＩＣＨ  Ｅｃ／Ｎｔをサービス提供基地局に伝達するために使用される。この情報は、該当する変調・符号化方式を選択するために使用される。更に、Ｆ−ＰＤＣＨを通じての送信対象として選択されるモバイル（幾つかの場合は２つのモバイル）は、予め決められた公平性評価基準及びＲ−ＣＱＩＣＨ値に基づいて選択することができる。該チャネルを通じて転送される情報は、Ｆ−ＰＩＣＨ  Ｅｃ／Ｎｔの全４ビット符号化値であること、又は、前回の累積値を基準にした場合のアップ／ダウンの指示であることができる。更に、Ｒ−ＣＱＩＣＨは、報告されたＦ−ＰＩＣＨ  Ｅｃ／Ｎｔに該当する基地局を示すために使用される。Ｒ−ＣＱＩＣＨウォルシュカバーのインデックスが該基地局を識別する。
【００４５】
図２は、データ通信用に適合化されたシステム１００において構成されている移動局１０６及び基地局１０４の例を示した図である。基地局１０４及び移動局１０６は、順方向リンク及び逆方向リンクで通信中の状態が示されている。移動局１０６は、受信サブシステム２２０において順方向リンク信号を受信する。本明細書においては、以下において詳述されている順方向データチャネル及び制御チャネルを通信する基地局１０４は、移動局１０６に関するサービス提供局と呼ばれている。以下では、図３を参照しつつ受信サブシステム例についてさらに詳しく説明されている。移動局１０６内においてサービス提供基地局から受信された順方向リンク信号に関する搬送波−干渉（Ｃ／Ｉ）の推定が行われる。Ｃ／Ｉ測定値は、チャネル推定値として使用されるチャネル品質評価基準の一例であり、代替実施形態においては、代替のチャネル品質評価基準を採用することができる。Ｃ／Ｉ測定値は、基地局１０４内の送信サブシステム２１０に引き渡される。以下では、図３を参照しつつ送信サブシステムの一例についてさらに詳しく説明されている。
【００４６】
送信サブシステム２１０は、逆方向リンクを通じてＣ／Ｉ推定値を引き渡し、該Ｃ／Ｉ推定値は、サービス提供基地局に引き渡される。ソフトハンドオフ状況においては、移動局から送信された逆方向リンク信号は、サービス提供基地局以外の１つ以上の基地局（本明細書においては非サービス提供基地局とする）によって受信することができる。基地局１０４内の受信サブシステム２３０は、移動局１０６からＣ／Ｉ情報を受け取る。
【００４７】
基地局１０４内のスケジューラ２４０は、サービス提供セルのカバレッジエリア内の１つ以上の移動局に対してデータを送信すべきかどうか及びどのような方法で送信すべきかを決定するために使用される。本発明の適用範囲内においてあらゆる型のスケジューリングアルゴリズムを展開させることができる。一例は、１９９７年２月１１日に出願されて２００２年１月１日にティードマン、等に対して発行され、本発明の譲受人に対して譲渡された、米国特許番号６，３３５，９２２"MEＴHOD AND APPARATUS FOR FORWARD LINK RATE SCHEDULING"（順方向リンク速度スケジューリングに関する方法及び装置）において開示されている。
【００４８】
１ｘＥＶ−ＤＶ実施形態例においては、移動局から受け取られたＣ／Ｉ測定値が、どのデータをある一定の速度で送信できるかを示しているときに、該移動局が順方向リンク送信の対象として選択される。システム容量の点では、共通通信資源が常にサポート可能な最高速度で利用されるようにターゲット移動局を選択するのが有利である。従って、選択される典型的なターゲット移動局は、報告されたＣ／Ｉの中で最大のＣ／Ｉを有する移動局にすることができる。その他の要因もスケジューリング決定の中に組み入れることができる。例えば、最低限の品質のサービス保証を様々なユーザーに対して行っておくことができる。又、該ユーザーに対する最低のデータ転送速度を維持するために、報告されたＣ／Ｉが相対的に小さい方の移動局が送信対象として選択されるようにすることができる。
【００４９】
上記の１ｘＥＶ−ＤＶシステム例においては、スケジューラ２４０は、いずれの移動局に送信するかを決定し、更に、該送信のための速度、変調フォーマット、及び電力レベルも決定する。ＩＳ−８５６システム、等の代替実施形態においては、サポート可能速度／変調フォーマットに関する決定は、移動局において測定されたチャネル品質に基づいて移動局において行うことができ、更に、Ｃ／Ｉ測定値の代わりに送信フォーマットをサービス提供基地局に送信することができる。当業者は、サポート可能速度、変調フォーマット、電力レベル、等の数多くの組合せを本発明の適用範囲内において展開可能であることを認識するであろう。更に、本明細書において説明されている様々な実施形態においては、スケジューリングタスクは基地局において実施され、代替実施形態においては、スケジューリングプロセスの一部又は全体が移動局において行われるようにすることができる。
【００５０】
スケジューラ２４０は、選択された速度、変調フォーマット、電力レベル、等を用いて順方向リンクで選択された移動局に送信するように送信サブシステム２７０に指示する。
【００５１】
該実施形態例においては、制御チャネル（即ち、Ｆ−ＰＤＣＣＨ）におけるメッセージは、データチャネル（即ち、Ｆ−ＰＤＣＨ）におけるデータと共に送信される。制御チャネルは、Ｆ−ＰＤＣＨにおけるデータを受け取る移動局を識別するため、及び、通信セッション中に有用なその他の通信パラメータを特定するために使用することができる。移動局は、いずれの移動局が送信対象であるかをＦ−ＰＤＣＣＨが示したときにＦ−ＰＤＣＨからデータを受け取って変調すべきである。該移動局は、該データを受け取り後、送信の成功又は失敗を示すメッセージを逆方向リンクで送信することによって応答する。データ通信システムにおいては、当業においてよく知られている再送信技術が一般的に採用される。
【００５２】
移動局は、２つ以上の基地局と通信状態にあることができ、この状態は、ソフトハンドオフと呼ばれる。ソフトハンドオフは、複数の基地局トランシーバサブシステム（ＢＴＳ）からのセクターに加えて、１つの基地局（又は１つのＢＴＳ）からの複数のセクターを含むことができる（よりソフトなハンドオフと呼ばれる）。ソフトハンドオフ状態の基地局セクターは、一般的には、移動局のアクティブセット内に保存される。同時に共有される通信資源システム（ＩＳ−９５、ＩＳ−２０００、又は１ｘＥＶ−ＤＶシステムの対応部分、等）においては、移動局は、アクティブセット内の全セクターから送信された順方向リンク信号を結合させることができる。データ専用システム（ＩＳ−８５６、１ｘＥＶ−ＤＶシステムの対応部分）においては、移動局は、アクティブセット内の１つの基地局、即ち、（Ｃ．Ｓ０００２．Ｃ規格において説明されている移動局選択アルゴリズム、等の選択アルゴリズムに従って決定された）サービス提供基地局から順方向リンク信号を受信する。以下において幾つかの例が詳述されているその他の順方向リンク信号を非サービス提供基地局から受信することもできる。
【００５３】
移動局からの逆方向リンク信号は、複数の基地局で受信することができ、逆方向リンクの品質は、一般的には、アクティブセット内の基地局に関する品質が維持される。複数の基地局において受信された逆方向リンク信号を結合させることが可能である。一般的には、並置されていない基地局からの逆方向リンク信号をソフト結合することは、遅延がほとんどまったく存在しない有意なネットワーク通信帯域幅が要求されることになり、このため、上記のシステム例は該結合をサポートしていない。よりソフトなハンドオフにおいては、単一のＢＴＳ内の複数のセクターにおいて受信された逆方向リンク信号は、ネットワークシグナリングなしで結合させることができる。上記のシステム例においては、逆方向リンク電力制御は、逆方向リンクフレームが１つのＢＴＳにおいて成功裡に復号されるように品質を維持する（切換ダイバーシティ）。
【００５４】
典型的ワイヤレスコミュニケータ
図３は、移動局１０６又は基地局１０４、等の無線通信デバイスのブロック図である。この実施形態例において示されているブロックは、一般的には、基地局１０４又は移動局１０６のいずれかに含まれている構成要素の部分組になる。当業者は、図３に示されている実施形態を、基地局又は移動局のあらゆる数の構成における用途に合わせて容易に適合させることになる。
【００５５】
アンテナ３１０において信号が受信されて受信装置３２０に引き渡される。受信装置３２０は、上記の規格等の１つ以上の無線システム規格に従って処理を行う。受信装置３２０は、無線周波数（ＲＦ）−ベースバンド変換、増幅、アナログ−デジタル変換、フィルタリング、等の様々な処理を行う。当業においては、様々な受信技術が既知である。受信装置３２０は、デバイスが移動局であるときには順方向リンクのチャネル品質を測定するため及びデバイスが基地局であるときには逆方向リンクのチャネル品質を測定するために使用される。但し、以下では、説明を明確化するために別個のチャネル品質推定器３３５が示されている。
【００５６】
受信装置３２０からの信号は、復調器３２５において１つ以上の通信規格に従って復調される。一実施形態例においては、１ｘＥＶ−ＤＶ信号を復調できる復調器が採用される。代替実施形態においては、代替規格をサポートすることができ、複数の実施形態は、複数の通信フォーマットをサポートする。復調器３３０は、ＲＡＫＥの受け取り、等化、結合、デインターリービング、復号、及び受信信号のフォーマットによって要求されるその他の様々な機能を実施することができる。当業においては、様々な復調技術が知られている。基地局１０４においては、復調器３２５は、逆方向リンクに従って復調する。移動局１０６においては、復調器３２５は、順方向リンクに従って復調する。本明細書において説明されているデータチャネル及び制御チャネルの両方とも、受信装置３２０おいて受け取って復調器３２５において復調することができるチャネル例である。上述されているように、順方向データチャネルの復調は、制御チャネルでのシグナリングに従って実施される。
【００５７】
メッセージ復号器３３０は、復調されたデータを受け取り、順方向リンク又は逆方向リンクにおいて移動局１０６又は基地局１０４にそれぞれ向けられた信号又はメッセージを抽出する。メッセージ復号器３３０は、システムにおける呼のセットアップ、維持及びテアダウン（音声セッション又はデータセッションを含む）の際に使用される様々なメッセージを復号する。メッセージは、順方向データチャネルの復調に使用されるチャネル品質指示値（Ｃ／Ｉ測定値、等）、電力制御メッセージ、又は制御チャネルメッセージを含む。当業においてはその他の様々なメッセージが既知であり、サポートされている様々な通信規格において指定することができる。これらのメッセージは、後続する処理において使用するためにプロセッサ３５０に引き渡される。メッセージ復号器３３０の機能の一部又は全部は、プロセッサ３５０内において実施することができる。但し、説明を明確化するために別個のブロックが示されている。代替として、復調器３５０は、一定の情報を復号して直接プロセッサ３５０に送ることができる（ＡＣＫ／ＮＡＫ等の単ビットメッセージ又は電力制御アップ／ダウンコマンドがその例である）。
【００５８】
チャネル品質推定器３３５は、受信装置３２０に接続され、本明細書において説明されている手順において使用するためと通信で用いられるその他の様々な処理（復調、等）において使用するための様々な電力レベル推定を行うために使用される。移動局１０６において、Ｃ／Ｉ測定を行うことができる。更に、１つの所定の実施形態のチャネル品質推定器３３５においては、システム内において使用されるあらゆる信号又はチャネルの測定値を測定することができる。基地局１０４又は移動局１０６においては、信号強度推定（受け取られたパイロット電力、等）を行うことができる。チャネル品質推定器３３５は、説明を明確化することのみを目的として別個のブロックが示されている。該ブロックは、別のブロック（受信装置３２０、復調器３２５、等）の中に組み入れるのが一般的である。信号強度の推定は、いずれの信号を又はいずれのシステム型を推定中であるかに依存して様々な種類の信号強度推定を行うことができる。一般的には、本発明の適用範囲内において、チャネル品質推定器３３５の代わりにあらゆる型のチャネル品質評価基準推定ブロックを採用することができる。以下においてさらに説明されているように、基地局１０４において、スケジューリングの際に又は逆方向リンク品質を決定する際に使用するためにチャネル品質推定値がプロセッサ３５０に引き渡される。チャネル品質推定値は、順方向リンク電力又は逆方向リンク電力を希望される設定値になるようにするためにアップ電力制御コマンド又はダウン電力制御コマンドが必要であるかどうかを決定するために使用することができる。希望される設定値は、上述されているように、外ループ電力制御メカニズムによって決定することができる。
【００５９】
アンテナ３１０を介して信号が送信される。送信信号は、送信装置３７０内において、上記の規格等の１つ以上の無線システム規格に従ってフォーマット化される。送信装置３７０内に含まれる構成要素例は、増幅器、フィルタ、デジタル−アナログ（Ｄ／Ａ）変換器、無線周波数（ＲＦ）変換器、等である。送信用データは、変調器３６５によって送信装置３７０に提供される。データチャネル及び制御チャネルは、様々なフォーマットに従って送信用にフォーマット化することができる。順方向リンクデータチャネルでの送信用データは、変調器３６５内において、Ｃ／Ｉ又はその他のチャネル品質測定値に従ってスケジューリングアルゴリズムによって示された速度および変調フォーマットに従ってフォーマットされる。上述されているスケジューラ（スケジューラ２４０、等）は、プロセッサ３５０内に常駐することができる。同様に、送信装置３７０は、スケジューリングアルゴリズムに従った電力レベルで送信するように指示することができる。変調器３６５内に組み入れることができる構成要素例は、様々な型の符号器、インターリーバー、スプレッダ、及び変調器を含む。
【００６０】
メッセージ生成器３６０は、本明細書において説明されている様々な種類のメッセージを作成するために使用することができる。例えば、Ｃ／Ｉメッセージは、逆方向リンクで送信するために移動局において生成することができる。更に、順方向リンク又は逆方向リンクでそれぞれ送信するために基地局１０４又は移動局１０６において様々な種類の制御メッセージを生成することができる。
【００６１】
受信されて復調器３２５において復調されたデータは、音声通信又はデータ通信の際に使用するためにプロセッサ３５０に引き渡すこと、及びその他の様々な構成要素に引き渡すことができる。同様に、送信用データは、プロセッサ３５０から変調器３６５及び送信装置３７０に送ることができる。例えば、プロセッサ３５０には、又は、無線通信デバイス１０４又は１０６に含まれている別のプロセッサ（図示されていない）には、様々なデータアプリケーションが存在することができる。基地局１０４は、図示されていないその他の装置を介して、インターネット（図示されていない）等の１つ以上の外部ネットワークに接続することができる。移動局１０６は、ラップトップコンピュータ（図示されていない）等の外部デバイスへのリンクを含むことができる。
【００６２】
プロセッサ３５０は、汎用マイクロプロセッサ、デジタル信号プロセッサ（ＤＳＰ）、又は専用プロセッサであることができる。プロセッサ３５０は、受信装置３２０、復調器３２５、メッセージ復号器３３０、チャネル品質推定器３３５、メッセージ生成器３６０、変調器３６５、又は送信装置３７０の一部の又は全部の機能、及び、無線通信デバイスによって要求されるその他のあらゆる処理を実施することができる。プロセッサ３５０は、これらのタスクを援助するために専用ハードウェア（図示されていない）に接続することができる。データアプリケーション又は音声アプリケーションは、外部（例えば、外部接続のラップトップコンピュータ又はネットワークへの接続）であること、無線通信デバイス１０４又は１０６内の追加プロセッサ（図示されていない）上で動作すること、又は、プロセッサ３５０自体において動作することができる。プロセッサ３５０は、メモリ３５５と接続され、該メモリは、データを保存するためと、本明細書において説明されている様々な手順及び方法を実施する命令を格納するために、使用される。当業者は、メモリ３５５は様々な型の１つ以上のメモリ構成要素を具備することができ、これらの１つ以上の構成要素は、全部又は一部をプロセッサ３５０内に埋め込むことができることを認識することになる。
【００６３】
上述されているように、１ｘＥＶ−ＤＶ等のデータシステムにおいては、逆方向リンクトラフィックチャネルは、基地局のうちの少なくても１つにおいて高い確率で復号できること（切換ダイバーシティ）、及びすべての逆方向リンク基地局への干渉を極小化することが望ましい。更に、サービス提供基地局においては、Ｒ−ＣＱＩＣＨの受信の信頼性が高いことが望まれる。Ｒ−ＣＱＩＣＨは、ＢＴＳがＦ−ＰＤＣＨを効率的に動作させるようにするために高速の順方向リンクチャネル状態の更新を提供する。
【００６４】
図４は、現在のサービス提供セクター４１０Ａ１を制御し更に非サービス提供セクター４１０Ａ２、４１０Ｂ１、Ｂ２、４１０Ｃ２を制御するためのシステムの実施形態例を示した図である。移動局１０６は、各アクティブセット基地局１０４Ａ乃至１０４Ｃ（Ｆ−ＣＰＣＣＨ）から順方向リンク電力制御流を受け取る。この例においては、各基地局１０４Ａ乃至１０４Ｃ、ＢＳ１乃至ＢＳ３は、各々が、４１０Ａ１乃至４１０Ｃ３のラベルが各々付けられた３つのセクター（セクター１乃至３）を含む。この例においては、アクティブセットは、セクター４１０Ａ１、４１ＯＡ２、４１０Ｂ１、４１０Ｂ２、及び４１０Ｃ２を含む。この例では、移動局は、複数の基地局と（ソフト）ハンドオフ状態であり、更に１つ以上の基地局内の複数のセクターと（よりソフトな）ハンドオフ状態にあるため、いわゆるソフト−よりソフトなハンドオフ例である。移動局１０６は、すべてのアクティブセットセクターから逆方向リンク電力制御フィードバックが提供される。Ｒ−ＣＱＩＣＨは、移動局１０６からサービス提供セクターに向けて送られる。
【００６５】
サービス提供セクターの選択
順方向パケットデータチャネルの動作
Ｆ−ＰＤＣＨは、耐遅延性のトラフィックに関してＢＳ資源を効率的に利用することを可能にする。Ｆ−ＰＤＣＨは共有チャネルであり、フェージングに起因する短期的な無線チャネルの変動を、遅延ジターという犠牲を払って利用することができる。実際、スマートスケジューリングを用いることによって、フェージングは、エアインタフェースの効率を有意なレベルだけ向上させることができる。この効率の向上は、マルチユーザーダイバーシティに起因する。ポイント・ツー・マルチポイントリンク（例えば、ある所定のセル内の単一のＢＳとＭＳとの間に存在するリンク）においては、無線伝播チャネルは、独立して変化する。該ＢＳは、該セル内のすべてのモバイルの中で無線伝播環境が最良であるＭＳに対して資源を割り当てることを選択してスループットを最大化させることができる。１つのグループのモバイルの中から１つのＭＳを選択することは、一般的にはマルチユーザーダイバーシティと呼ばれる。
【００６６】
更に、公平性に関する制約がＢＳスケジューラに課せられていない場合は、ＢＳは、最高のデータ速度をサポートできるＭＳのスケジューリングを行うことができ、一部のＭＳはデータをまったく受け取ることができないことがある。この場合は、マルチユーザーダイバーシティの効果を可能にし、公平性基準を満たし、物理レイヤのスループットの変動を最小に抑えるスケジューリングアルゴリズムを使用することができる。スケジューリング間隔は、単一のフレームに相当し、１．２５ｍｓ、２．５ｍｓ、又は５ｍｓにすることができる。データ速度は、チャネル品質情報及び利用可能なＢＳ資源に基づいて決定される。Ｆ−ＰＤＣＨでのスケジューリングが完了した時点で、順方向リンク制御チャネルがＭＳに知らせる。Ｆ−ＰＤＣＨの動作を制御するエンティティは、ＰＤＣＨ制御機能（ＰＤＣＨＣＦ）と呼ばれる。このエンティティは、リンクの適合化、スケジューリング、及びＨ−ＡＲＱ型ＩＩの動作を制御し、更に、Ｆ−ＰＤＣＨ論理チャネルを対応する物理チャネルにマッピングする責任を有する。ＰＤＣＨＣＦは、ＭＡＣレイヤの一部とみなされており、ＢＴＳにおいて実装することができる。
【００６７】
制御シグナリング
Ｆ−ＰＤＣＨは、ＢＳが最長で５ｍｓのアクセスを許可する共有チャネルである。このような短時間のアクセスは、ＭＳに注意を促す上での高速シグナリングプロトコルが要求される。ＢＳは、Ｆ−ＰＤＣＣＨを使用し、同チャネルは、Ｆ−ＰＤＣＨと並行して動作する。Ｆ−ＰＤＣＣＨフレーム長は、一般的には、Ｆ−ＰＤＣＨフレーム長と同じである。ＭＳは、Ｆ−ＰＤＣＣＨ及びＦ−ＰＤＣＨにおいて受け取られた信号のバッファリングを行う。Ｆ−ＰＤＣＣＨは、可能性のある３つのすべてのフレーム長１．２５ｍｓ、２．５ｍｓ、及び５ｍｓを考慮して復号される。
【００６８】
標準的Ｆ−ＰＤＣＣＨ制御メッセージ
図５は、２１のビットを含む標準的なＦ−ＰＤＣＣＨ制御メッセージである。更に、ＣＲＣに関する１６ビット及び復号器に関する８つのテールビットも存在する。
【００６９】
該制御メッセージ自体内では、最初の８ビットは、ＭＳを識別するＭＡＣ＿ＩＤ用に確保されている。ＢＳは、一般的には、ＭＡＣ識別子を指定するＭＡＣ識別子（ＭＡＣ＿ＩＤ）フィールドを、Ｆ−ＰＤＣＨでのこのメッセージの送信と同時並行したＦ−ＰＤＣＨサブパケット送信を復号するための、ＭＳに割り当てられたＭＡＣ識別子、に設定する。
【００７０】
ＭＡＣ＿ＩＤの範囲は、１つのＣＤＭＡチャネルごと、又はパイロットごとである。ＭＳが別のパイロットへのハンドオフを実施時には、ＭＡＣ＿ＩＤは変更することができる。ＭＡＣ＿ＩＤは、最初は、拡張チャネル割当てメッセージ（ＥＣＡＭ）を介してＭＳに伝達され、その後、ソフトハンドオフイベントである場合は、ユニバーサルハンドオフディレクションメッセージ（ＵＨＤＭ）を送ることによって更新することができる。
【００７１】
ＷＡＬＳＨ＿ＭＡＳＫフィールドは、ウォルシュ空間マスクビットマップを指定する。ＢＳは、一般的には、Ｆ−ＰＤＣＨを復号時にパケットデータチャネルウォルシュセット内の一定のエントリを省略するようにＭＳに指示するために、このフィールドをウォルシュ空間マスクビットマップに設定する。ＢＳは、一般的には、ＭＳがウォルシュインデックステーブル（ＷＣＩ）内の対応するインデックスを含める（‘０’）又は省略する（‘１’）するように指示するために、このフィールド内の各ビットを‘０’又は‘１’に設定する。
【００７２】
ＥＰ＿ＳＩＺＥフィールドは、復号器のパケットサイズを指定する。復号器パケットサイズがとることができる値は６個の異なった値である。ＭＳは、入ってきたパケットの復号を成功させるために復号器パケットサイズを知る必要がある。復号器パケットサイズは、３ビットから成るＥＰ＿ＳＩＺＥフィールドに入っている。ＥＰ＿ＳＩＺＥ＝１１１は、Ｆ−ＰＤＣＣＨ制御メッセージに関して用いられる拡張メッセージ型を示している。このメッセージが拡張メッセージを含む場合は、ＢＳは、一般的には、このフィールドを‘１１１’に設定する。このメッセージが拡張メッセージを含まない場合は、ＢＳは、一般的には、Ｆ−ＰＤＣＨでのこのメッセージの送信と同時並行したＦ−ＰＤＣＨサブパケット送信のための、復号器パッケージサイズに関する復号値（‘１１１’以外）、にこのフィールドを設定する。制御Ｆ−ＰＤＣＣＨメッセージは、ＭＡＣ＿ＩＤ、ＥＰ＿ＳＩＺＥ＝１１１及び１０ビットの制御情報のみを含んでいる。
【００７３】
ＭＳは、４つの別々のＡＲＱチャネルで送信された４つの並行する物理レイヤデータ流を同時に受け取ることができる。これらのチャネルを区別するために、Ｆ−ＰＤＣＣＨメッセージは、ＡＲＱチャネル識別子（ＡＣＩＤ）と呼ばれる２ビットフィールドを含んでいる。各ＡＣＩＤは、独立したＨ−ＡＲＱ型ＩＩの動作をサポートする。ＢＳは、一般的には、ＡＲＱチャネル識別子（ＡＣＩＤ）フィールドを、Ｆ−ＰＤＣＨでのこのメッセージの送信と同時並行したＦ−ＰＤＣＨサブパケット送信のためのＡＲＱチャネル識別子に設定する。
【００７４】
ＢＳは、一般的には、サブパケット識別子（ＳＰＩＤ）フィールドを、Ｆ−ＰＤＣＨでのこのメッセージの送信と同時並行したＦ−ＰＤＣＨサブパケット送信のためのサブパケット識別子に設定する。ＢＳは、一般的には、ＡＲＱ識別子シーケンス番号（ＡＩ＿ＳＮ）フィールドを、Ｆ−ＰＤＤＣＨにおけるこのメッセージの送信と同時並行したＦ−ＰＤＣＨサブパケット送信のためのＡＲＱ識別子シーケンス番号に設定する。このシーケンスは強制的ではなく、ＳＰＩＤ＝００を繰り返すことができるため、新たな復号器パケットが開始時にはＭＳに通知しなければならない。ＡＲＱ識別子シーケンス番号（ＡＩ＿ＳＮ）ビットは、Ｆ−ＰＤＣＣＨメッセージに付加される。ＡＩ＿ＳＮビットは、新たな復号器パケット送信が開始するごとにトグルされる。
【００７５】
最後に、Ｆ−ＰＤＣＣＨメッセージは、ウォルシュ符号ツリー内の最後のウォルシュ符号を識別する最終ウォルシュ符号インデックス（ＬＷＣＩ）を含んでいる。Ｆ−ＰＤＣＨに関して利用可能なウォルシュ符号は、２８個の長さ３２のウォルシュ符号のみである。正確にいずれの２８個のウォルシュ符号が利用可能であるかは、ＷＡＬＳＨ＿ＴＡＢＬＥ＿ＩＤを通じてＭＳにシグナリングされる。ＷＡＬＳＨ＿ＴＡＢＬＥ＿ＩＤの適用範囲は、１つのパイロットごとである。ＷＡＬＳＨ＿ＴＡＢＬＥ＿ＩＤは、３ビットのフィールドであり、ＥＣＡＭ及びＵＨＤＭの両方の一部である。ウォルシュ符号空間は、例えばＦ−ＳＣＨの割当て及びテアダウンに起因してフラグメント化することができる。ＬＷＣＩは、隣接するウォルシュ符号空間内の最後の符号を示すため、図５に示されているＦ−ＰＤＣＣＨメッセージは、フラグメント化されたウォルシュ空間に対応することができない。ＢＳは、一般的には、最終ウォルシュ符号インデックス（ＬＷＣＩ）フィールドを、Ｆ−ＰＤＣＣＨにおけるこのメッセージの送信と同時並行したＦ−ＰＤＣＨサブパケット送信のための最後のウォルシュ符号インデックスに設定する。このメッセージがＦ−ＰＤＣＣＨ０物理チャネルにおいて送信されている場合は、ＢＳは、一般的には、ウォルシュ符号セットがＷＣＩテーブル内の０番目乃至ＬＷＣＩ番目のエントリを含めるように指示するようにこのフィールドを設定する。他方、このメッセージがＦ−ＰＤＣＣＨ１物理チャネルにおいて送信されている場合は、ＢＳは、一般的には、ウォルシュ符号セットがＷＣＩテーブル内の（ｌｗｉ０＋１）番目乃至ＬＷＣＩ番目のエントリを含めるように指示するようにこのフィールドを設定する。このメッセージと同時に送信されたＦ−ＰＤＣＣＨ０メッセージ内のＭＡＣ＿ＩＤが、‘０１００００００’と同じであるか又はそれよりも大きい場合は、ｌｗｃｉは、Ｆ−ＰＤＣＣＨ０メッセージ内の最後のウォルシュ符号インデックスである。Ｆ−ＰＤＣＣＨ０メッセージ内のＭＡＣ＿ＩＤが、‘０１００００００’よりも小さい場合は、ｌｗｃｉ０は１である。
【００７６】
ウォルシュに関するフラグメンテーション問題を軽減するために、Ｆ−ＰＤＣＨに関して利用可能なフラグメント化ウォルシュ符号空間のシグナリングを行うための特殊なＦ−ＰＤＣＣＨブロードキャストメッセージが設計されている。このメッセージ内のＭＡＣ＿ＩＤは、００００００００に設定され、該メッセージがセル内のすべてのモバイルにアドレス指定されていることを示している。最後の２つの長さ３２のウォルシュ符号（ビットマッピングされない長さ１６のウォルシュ符号の後継符号）が利用可能であることが、ＬＷＣＩを通じてシグナリングされる。
【００７７】
ＢＳは、一般的には、拡張メッセージ型識別子（ＥＸＴ＿ＭＳＧ＿ＴＹＰＥ）フィールドを‘００’又は‘０１’に設定する。ＢＳは、ＭＳがＰＤＣＨ制御ホールドモードを出るように指示するために、このフィールドを‘００’に設定することができる。ＢＳは、最大数のスイッチングフレーム（ＲＥＶ＿ＮＵＭ＿ＳＯＦＴ＿ＳＷＩＴＣＨ＿ＦＲＡＭＥＳ又はＲＥＶ＿ＮＵＭ＿ＳＯＦＴＥＲ＿ＳＷＩＴＣＨ＿ＦＲＡＭＥＳに達する前に現在の切換送信パターンを終了させるようにＭＳに指示するために、このフィールドを‘０１’に設定することができる。
【００７８】
ＢＳは、一般的には、確保されたビットのＲＥＳＥＲＶＥＤフィールド（予約フィールド）を‘００００００００’に設定する。
【００７９】
規格では、２つのＦ−ＰＤＣＨが同時に動作することを許容しており、最高２つのモバイルのスケジューリングを同時に行うことができる。この柔軟性は、ＷＡＰトラフィック及びレイヤ３シグナリングのサポート効率を向上させるために付け加えられている。
【００８０】
リンク適合化
Ｆ−ＰＤＣＨは、適合型変調及び符号化によってスペクトル効率を向上させることを可能にする。ＭＳの無線チャネル状態情報が、逆方向チャネル品質指標チャネル（Ｒ−ＣＱＩＣＨ）を通じてＢＳに伝達される。このフィードバックチャネルは、チャネルの可変性を利用してマルチユーザーダイバーシティ利得を達成させるスケジューラをＢＳが実装することを可能にする。更に、該フィードバックチャネルは、現在のチャネル状態を考慮して最適なＦ−ＰＤＣＨデータ速度を選択することを可能にする。
【００８１】
チャネル品質のフィードバック
ＭＳは、Ｒ−ＣＱＩＣＨを通じて自己のチャネルの品質を報告する。許容されている報告モードは、全搬送波−干渉（Ｃ／Ｉ）報告及び時間差的（ｄｉｆｆｅｒｅｎｔｉａｌ）搬送波−干渉（Ｃ／Ｉ）報告の２つである。全Ｃ／Ｉ報告は、時間差的Ｃ／Ｉ報告よりも正確であるが、より多くの逆方向リンクオーバーヘッドを発生させる可能性がある。
【００８２】
全Ｃ／Ｉ報告は、４ビットのチャネル品質指標にマッピングされた、パイロットチップエネルギーと総雑音＋干渉の比  Ｐｉｌｏｔ  Ｅｃ／Ｎｔの測定結果を表している。全モードにおいては、ＰＣＧ毎又は１．２５ｍｓ毎に現在のＰｉｌｏｔ  Ｅｃ／Ｎｔが報告される。時間差的更新は、最も新しい累積Ｃ／Ｉ値を基準にした±０．５ｄＢの補正であると解釈される。時間差方式自体は、２０ｍｓ毎に1つの全報告及びその間における１５±０．５ｄＢの更新によって構成される。累積器は、１つのＰＣＧごとの時間差的更新を合計し、全報告が受け取られる２０ｍｓごとに自己をリフレッシュする。
【００８３】
１つの全報告には、１５の時間差的報告が後続する。全報告は、信頼性を向上させるために繰り返すことができる。この場合は、受信装置は、繰り返された記号をソフト結合する。全Ｃ／Ｉ報告が繰り返される回数は、ＲＥＶ＿ＣＱＩＣＨ＿ＲＥＰフィールド、ＥＣＡＭの一部、ＵＨＤＭ、及び速度変更メッセージ（ＲＡＴＣＨＧＭ）を用いてＢＳによってコンフィギュレーションすることができる。Ｒ−ＣＱＩＣＨは、サービス提供ＢＳによって復号する必要があるため、信頼性を向上させるためにＲ−ＣＱＩＣＨ記号が繰り返されてソフト結合される。検出が向上することは、Ｒ−ＣＱＩＣＨ記号速度を犠牲にして該速度を低下させる。
【００８４】
セルの選択及び切換え
ＭＳは、長さが８チップの６つの異なるウォルシュ関数のうちの１つでＲ−ＣＱＩＣＨ記号を「カバー」することによってサービス提供ＢＳを示す。Ｒ−ＣＱＩＣＨの動作という前後関係では、これらのウォルシュ関数は、ウォルシュカバーと呼ばれる。各Ｒ−ＣＱＩＣＨ送信は、ＭＳが受け取ることを希望するパケットデータチャネル送信を行う１つの特定のパイロットに（個別のウォルシュカバーによって）指し向けられる。ＭＳは、パケットデータチャネルアクティブセット内のパイロットからの相対的受取強度に基づいて、Ｒ−ＣＱＩＣＨ送信が行われるパイロットをパケットデータチャネルアクティブセットから決定する。ＥＣＡＭを通じて呼のセットアップ時（又は、アクティブセットがＵＨＤＭを通じて更新時）に、ネットワークは、ＲＥＶ＿ＣＱＩＣＨ＿ＣＯＶＥＲフィールドを用いてウォルシュカバーマッピングにＰＩＬＯＴ＿ＰＮのシグナリングを行う。ＭＳは、Ｃ／Ｉを報告時に用いられたウォルシュカバーに関連するＢＳからサービスが提供されると予想する。
【００８５】
一般的には、ＭＳは、受信されたパイロット信号（Ｅｃ／Ｎｔ）が最も強いＢＳを選択することによって選択ダイバーシティを達成させる。しかしながら、セルの切換えは、未送信データに関する待ち行列の同期化が要求されるため、ＭＳは、サービス提供ＢＳを瞬時に変更することができない。サービス提供ＢＳパイロットの変更が要求されているとＭＳが決定すると、ＭＳは、セクター／セル切換手順を呼び出す。ＭＳは、この切換えを開始させるために、未送信エンコーダパケット（ＥＰ）の送信を完了させるようにサービス提供ＢＳに指示し更に送信が完了した時点でターゲットＢＳに切り換えるようにＭＳに指示する特有の切換えパターンを、Ｒ−ＣＱＩＣＨにおいて送信する。該切換時間中には、パケットデータチャネルアクティブセット内のターゲットパイロットのウォルシュカバーを使用するためにＲ−ＣＱＩＣＨ送信が修正される。該切換時間の長さは、（パケットデータチャネルアクティブセット（ＡＳ）内の）ソース及びターゲットパイロットが同じＢＴＳ内にあるか又は異なったセル内にあるかに依存する。切換時間の間隔は、ＥＣＡＭ内又はＵＨＤＭ内に含まれている２つのパラメータＮＵＭ＿ＳＯＦＴＥＲ＿ＳＷＩＴＣＨＩＮＧ＿ＦＲＡＭＥＳ及びＮＵＭ＿ＳＯＦＴ＿ＳＷＩＴＣＨＩＮＧ＿ＦＲＡＭＥＳによって指定される。パラメータＮＵＭ＿ＳＯＦＴＥＲ＿ＳＷＩＴＣＨＩＮＧ＿ＦＲＡＭＥＳは、ＭＳにおける切換手順をコンフィギュレーションし、切換遅延ＰＤＣＨ＿ＳＯＦＴＥＲ＿ＳＷＩＴＣＨＩＮＧ＿ＤＥＬＡＹ（又は、ＰＤＣ＿ＳＯＦＴ＿ＳＷＩＴＣＨＩＮＧ＿ＤＥＬＡＹ）は、単に、待ち行列の同期化等の課題に起因する切換遅延及びネットワーク遅延に起因するサービスの中断が生じる可能性があることをＭＳに連絡するだけである。
【００８６】
最適化されたサービス提供セクター選択メカニズム
改良されたサービス提供選択メカニズムを提供するため、少なくとも２つの選択肢を提供することができる。第１の選択肢においては、すべてのセクターは、自己の負荷値をブロードキャスト（同報通信）することができる。しかしながら、この選択肢においては、ＭＳは、別のセクターからの負荷情報を収集するために現在のサービス提供セクターを離れなければならず、その間は、現在のサービス提供セクターからデータを受け取らない。このブロードキャストは、予め決められたスケジュールで動作しなければならないため、共有されているＦ−ＰＤＣＨのＴＤＭ利得を減少させることになる。第２の選択肢においては、すべての近隣セクターに関する負荷情報を、サービス提供セクターによって伝達することができる。このことは、同じ情報が幾つかのセクター内において複数回送信されて冗長になることがある一方で、この冗長性は、ＢＳがＦＬ容量を確保するような形で自由にメッセージ送信をスケジューリングできることで相殺される。更に、この機能を使用不能／使用可能にするためのＬ３シグナリングが必要ない。ＢＳは、単に、負荷情報ブロードキャストメッセージを必要に応じて送るかどうかを決定することができる。
【００８７】
再度図４に関して、一側面においては、各々が複数のセクター４１０Ａ１乃至４１０Ｃ３を具備する複数のＢＳ  １０４Ａ乃至Ｃと、現在のサービス提供セクター４１０Ａ１によってサービスが提供されるＭＳ１０６と、を含むシステムが提供される。各セクターは、複数の近隣セクターを有することができる。サービス提供及び非サービス提供という表現は、実施形態例において説明を明確化することのみを目的として用いられていることに注意すること。開示されている技術は、サービス提供基地局であるか非サービス提供基地局であるかにかかわらずあらゆる基地局の集合に対して当てはまる。各実施形態は、「サービス提供」の代わりに「一次的」という表現を用い、「非サービス提供」の代わりに「二次的」という表現を用いて説明することが可能であり、いずれの場合も、本明細書において開示されている原理は同じく有効である。
【００８８】
各ＢＳ１０４は、セクター負荷情報を決定し、該セクター負荷情報を送信する。ＭＳ１０６は、ＭＳ１０６のアクティブセット（ＡＳ）内の各セクターに関する搬送波−干渉（Ｃ／Ｉ）比を測定し、ＭＳ１０６のアクティブセット（ＡＳ）内の全セクターに関する搬送波−干渉（Ｃ／Ｉ）比測定値を保存し、これらのＡＳセクターの各々に関する搬送波−干渉（Ｃ／Ｉ）比測定値及びセクター負荷情報に基づいて新たな又は最良のサービス提供セクターを自律的に決定する。一実施形態においては、現在のサービス提供セクターは、すべての近隣セクターに関するセクター負荷情報をＭＳ１０６に送信する。代替として、各セクターは、自己のセクター負荷情報に対応する負荷値を送信することができる。
【００８９】
ＢＳ１０４は、専用チャネル（例えば、単一のＭＳ１０６に送信される順方向リンクチャネル）を用いてセクター負荷情報を送信することができる。一実装においては、該専用チャネルは、順方向パケットデータチャネル（Ｆ−ＰＤＣＨ）又は順方向パケットデータ制御チャネル（Ｆ−ＰＤＣＣＨ）である。別の実装においては、セクター負荷情報を搬送するために使用される専用チャネルは、順方向基本チャネル（Ｆ−ＦＣＨ）又は順方向専用制御チャネル（Ｆ−ＤＣＣＨ）である。
【００９０】
もう１つの実施形態においては、ＢＳ１０４は、共通チャネルを用いてセクター負荷情報をマルチキャストする。該共通チャネルは、例えば、該当セクターによってサービスが提供されるすべてのＭＳ１０６に送信される順方向リンクチャネルであることができる。一実装においては、該共通チャネルは、順方向パケットデータチャネル（Ｆ−ＰＤＣＨ）を具備し、単一のＦ−ＰＤＣＨメッセージが２つ以上のセクターに関する負荷情報を搬送する。別の実装においては、セクター負荷情報を搬送するために用いられる共通チャネルは、共有順方向基本チャネル、共有順方向専用制御チャネル、共有順方向補足チャネル、ページングチャネル（ＰＣＨ）、順方向ブロードキャスト制御チャネル（Ｆ−ＢＣＣＨ）、又は順方向共通制御チャネル（Ｆ−ＣＣＣＨ）である。
【００９１】
さらに別の実施形態においては、セクター負荷情報は、該当セクターによってサービスが提供されているすべてのＭＳに       対して例えばＦ−ＰＤＣＨで又はＦ−ＰＤＣＣＨで送信される負荷情報ブロードキャストメッセージを具備する。ブロードキャスト方法に関しては、Ｆ−ＰＤＣＣＨで（好ましいことにＦ−ＰＤＣＣＨ１で）新たなメッセージを送ることができる。しかしながら、その他の適切なフォーマットも使用可能であること、特に、単一のＦ−ＰＤＣＣＨメッセージが２つ以上のセクターに関する負荷情報を搬送することができる定義済みフォーマットが存在できることを理解すべきである。
【００９２】
図６は、本発明の一側面に従った変形Ｆ−ＰＤＣＣＨ制御メッセージである。この変形制御メッセージは、セクター負荷情報を伝達するために使用することができる。一側面においては、新たなメッセージ型を使用することができ、該メッセージには、ＰＮ＿ＯＦＦＳＥＴ値及び対応する負荷値情報が記載される。一実施形態においては、セクター負荷情報は、ＰＮ＿ＯＦＦＳＥＴ値を含むＰＮ＿ＯＦＦＳＥＴフィールドと、対応する負荷値情報を含むＰＮ＿ＬＯＡＤフィールドと、を具備する負荷情報メッセージを具備する。一実装においては、ＰＮ＿ＯＦＦＳＥＴフィールドは、パイロットＰＮオフセットを指定し、ＰＮ＿ＬＯＡＤフィールドは、セクター負荷パラメータを指定する。負荷情報が専用の方法で特定のユーザーに送信される場合は、ＰＮ＿ＯＦＦＳＥＴフィールドの代わりに、該ＰＮ＿ＯＦＦＳＥＴに対応するウォルシュカバーインデックスを使用することができる。ウォルシュカバーインデックスは一般的には３ビット値で、ＰＮ＿ＯＦＦＳＥＴは一般的には９ビット値であるため、この使用は要求されるメッセージ長を短くする。しかしながら、負荷情報ブロードキャストの場合は、ＰＮ＿ＯＦＦＳＥＴをウォルシュカバーインデックスにマッピングすることは各移動局ごとに異なるため、ＰＮ＿ＯＦＦＳＥＴを代えることは機能しないことが予想される。セクター負荷情報は、例えば、拡張チャネル割当てメッセージ（ＥＣＡＭ）又はユニバーサルハンドオフディレクションメッセージ（ＵＨＤＭ）、等のその他の既存のＣＤＭＡ２０００レイヤ３（Ｌ３）メッセージ内に含めることができる。
【００９３】
この実装においては、負荷情報ブロードキャストメッセージは、ＭＡＣ＿ＩＤフィールド及びＷＡＬＳＨ＿ＭＡＳＫフィールドを含むこともできる。基地局は、一般的には、ＭＡＣ識別子を指定するＭＡＣ識別子（ＭＡＣ＿ＩＤ）フィールドを、Ｆ−ＰＤＣＨでのこのメッセージの送信と同時並行でのＦ−ＰＤＣＨサブパケット送信を復号するための、移動局に割り当てられたＭＡＣ識別子、に設定する。
【００９４】
ＭＡＣ＿ＩＤが第１の値を有する場合は、ＢＳ１０４は、ＷＡＬＳＨ＿ＭＡＳＫフィールドを負荷情報ブロードキャストメッセージ内に含めてその他のフィールドを省略する。その他の残りのフィールドは、例えば、ＥＰ＿ＳＩＺＥフィールド、ＡＣＩＤフィールド、ＳＰＩＤフィールド、ＡＩ＿ＳＮフィールド、ＬＷＣＩフィールド、ＥＸＴ＿ＭＳＧ＿ＴＹＰＥフィールド、及びＲＥＳＥＲＶＥＤフィールドを具備する。例えば、ＭＡＣ＿ＩＤが‘００００００００’に設定されている場合は、基地局は、ＷＡＬＳＨ＿ＭＡＳＫフィールドを含めて残りのフィールドは省略する。
【００９５】
ＭＡＣ＿ＩＤが第２の値を有する場合は、ＢＳ１０４は、ＰＮ＿ＯＦＦＳＥＴフィールド及びＰＮ＿ＬＯＡＤフィールドを負荷情報ブロードキャストメッセージ内に含める。例えば、ＭＡＣ＿ＩＤが‘０００００００１’に設定されている場合は、基地局は、ＰＮ＿ＯＦＦＳＥＴフィールド及びＰＮ＿ＬＯＡＤフィールドを含めることができる。
【００９６】
ＭＡＣ＿ＩＤが第３の値を有する場合は、ＢＳ１０４は、ＲＥＶ＿ＣＱＩＣＨ＿ＣＯＶＥＲ（ＡＳセクターパイロットに対応するウォルシュカバーのインデックス）フィールド及びＰＮ＿ＬＯＡＤフィールドを、Ｆ−ＰＤＣＣＨで送信される専用負荷情報メッセージ内に含める。
【００９７】
ＭＡＣ＿ＩＤが第４の値を有する場合は、ＢＳ１０４は、ＰＮ＿ＯＦＦＳＥＴフィールド及びＰＮ＿ＬＯＡＤフィールドを、Ｆ−ＰＤＣＨで送信される負荷情報ブロードキャストメッセージ内に含める。
【００９８】
ＭＡＣ＿ＩＤが別の値を有する場合は、ＢＳ１０４は、その他の残りのフィールドを負荷情報ブロードキャストメッセージ内に含め、ＷＡＬＳＨ＿ＭＡＳＫフィールド、ＰＮ＿ＯＦＦＳＥＴフィールド及びＰＮ＿ＬＯＡＤフィールドを省略する。例えば、基地局は、ＷＡＬＳＨ＿ＭＡＳＫフィールド、ＰＮ＿ＯＦＦＳＥＴフィールド及びＰＮ＿ＬＯＡＤフィールドを省略し、残りのフィールドを含めることができる。
【００９９】
図７は、本発明の別の側面に従った遠隔局の動作を詳述した流れ図である。この側面においては、複数のセクターと、１つのプロセッサと、１つの送信装置と、を含むＢＳ１０４が提供される。各セクターは、複数の近隣セクターを有することができる。ステップ７１０において、プロセッサは、セクター負荷情報を決定し、ステップ７２０において、送信装置は、セクター負荷情報を送信する。現在のサービス提供セクターは、すべての近隣セクターに関するセクター負荷情報を送信する。セクター負荷情報は、例えば、Ｆ−ＰＤＣＨ又はその他のＦＬチャネルを用いて、専用的な形で各ユーザーに別々に送ることができる。
【０１００】
図８は、本発明のさらにもう１つの側面に従ったワイヤレスコミュニケータの動作を詳述した流れ図である。このもう１つの側面においては、現在のサービス提供セクターによってサービスが提供されるＭＳ１０６が提供されている。ＭＳ１０６は、受信装置と、チャネル品質推定器３３５と、メモリと、プロセッサと、を含む。ステップ８１０において、受信装置は、ＭＳ１０６のアクティブセット（ＡＳ）内の各セクターに関するセクター負荷情報を受け取る。ステップ８２０において、チャネル品質推定器３３５は、ＭＳ１０６のアクティブセット（ＡＳ）内の各セクターに関する搬送波−干渉（Ｃ／Ｉ）比を測定する。メモリ３５５は、ＭＳ１０６のアクティブセット（ＡＳ）内の全セクターに関する搬送波−干渉（Ｃ／Ｉ）比測定値を保存する。ステップ８３０において、プロセッサは、ＡＳセクターの各々に関する搬送波−干渉（Ｃ／Ｉ）比測定値及びセクター負荷情報に基づいて新たなサービス提供セクターを自律的に決定する。図６の実施形態においては、セクター負荷情報は、ＰＮ＿ＯＦＦＳＥＴ値を含むＰＮ＿ＯＦＦＳＥＴフィールドと、対応する負荷値情報を含むＰＮ＿ＬＯＡＤフィールドと、を具備する負荷情報ブロードキャストメッセージを含むことができる。パイロットに関するＰＮ＿ＬＯＡＤのデフォルト値は、ＰＮ＿ＯＦＦＳＥＴフィールド値が該パイロットに対応するＦ−ＰＤＣＣＨメッセージが受け取られなかった場合は、‘００００’であることができる。ＰＮ＿ＬＯＡＤの最後の更新がＴｘ時間よりも前であった場合は、ＰＮ＿ＬＯＡＤは‘００００’にリセットすることができる。Ｔｘ値、又はデフォルト値のいずれか、又はその両方は、規格内で定義すること、又はＬ３によってシグナリングすること、若しくはその両方であることができる。
【０１０１】
メモリ３５５は、ＰＮ＿ＯＦＦＳＥＴの値がＡＳセクターパイロットのうちのいずれかとマッチするとプロセッサが決定した場合にＰＮ＿ＬＯＡＤ値を保存する。代替として、受け取られたＵＨＤＭが将来に新たなセクターパイロットをＡＳに追加時に使用するためにすべてのＰＮ＿ＬＯＡＤ値を保存することができる。
【０１０２】
プロセッサは、新たなサービス提供セクターを決定した時点で、ＰＮ＿ＬＯＡＤの対応する値に基づき、新たなサービス提供セクターの選択の際に用いられる測定された搬送波−干渉（Ｃ／Ｉ）比値を修正することができる。一実装においては、プロセッサは、ＰＮ＿ＬＯＡＤの対応値のスケジューリングされた値を、測定された搬送波−干渉（Ｃ／Ｉ）比値に加える。一実施形態においては、ＭＳが最良のサービス提供セクターを決定時に、ＭＳは、測定されたＣ／Ｉ値（ｄＢで表される）をＰＮ＿ＬＯＡＤ値に加えることによって該測定されたＣ／Ｉ値を修正することができ、ここで、ＰＮ＿ＬＯＡＤは、単位が１ｄＢの２の補数の２進数であると解釈される。負荷情報の範囲及び分解能は、その他の方法で定義することが可能である。
【０１０３】
ＢＳがセル負荷情報を伝達するために専用手順又はブロードキャスト手順のいずれを選択したかにかかわらずＭＳの動作はほぼ同じであることに注目すべきである。
【０１０４】
更に、上述されているすべての実施形態において、方法上のステップは、本発明の適用範囲を逸脱せずに互換可能である。本明細書において開示されている説明は、多くの場合は、１ｘＥＶ−ＤＶ規格に関係する信号、パラメータ、及び手順を対象にしているが、本発明の適用範囲は、この範囲に限定されるものではない。当業者は、本明細書における原理をその他の様々な通信システムに容易に応用することになる。これらの原理及びその他の変形は、当業者にとって明確になるであろう。
【０１０５】
当業者は、情報及び信号は様々な種類の技術及び技法のうちのいずれかを用いて表すことが可能であることを理解することになる。例えば、上記の説明全体を通じて参照することができるデータ、命令、コマンド、情報、信号、ビット、記号、及びチップは、電圧、電流、電磁波、磁場、磁気粒子、光学場、光学粒子、又はそのあらゆる組合せによって表すことができる。
【０１０６】
本明細書において開示されている実施形態に関係させて説明されている様々な例示的論理ブロック、モジュール、回路、及びアルゴリズム上のステップは、電子ハードウェアとして、コンピュータソフトウェアとして、又は両方の組合せとして実装することができることを当業者はさらに理解することになる。ハードウェアとソフトウェアのこの互換性を明確に例示するため、上記においては、様々な例示的構成要素、ブロック、モジュール、回路、及びステップが、各々の機能の観点で一般的に説明されている。これらの機能がハードウェアとして又はソフトウェアとして実装されるかは、全体的システムに対する特定の用途上の及び設計上の制約事項に依存する。当業者は、説明されている機能を各々の特定の用途に合わせて様々な形で実装することができるが、これらの実装決定は、本発明の適用範囲からの逸脱を生じさせるものであるとは解釈すべきではない。  
本明細書において開示されている実施形態に関連して説明されている様々な例示的な論理ブロック、モジュール、及び回路は、本明細書において説明されている機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、その他のプログラミング可能な論理デバイス、ディスクリートゲートロジック、ディスクリートトランジスタロジック、ディスクリートハードウェア構成品、又はそのあらゆる組合せ、とともに実装又は実行することができる。汎用プロセッサはマイクロプロセッサであることができるが、代替策として、従来のどのようなプロセッサ、コントローラ、マイクロコントローラ、又はステートマシンであってもよい。さらに、プロセッサは、計算装置の組合せ、例えば、ＤＳＰと、１つのマイクロプロセッサとの組合せ、複数のマイクロプロセッサとの組合せ、ＤＳＰコアと関連する1つ以上のマイクロプロセッサとの組合せ、又はその他のあらゆる該コンフィギュレーションとの組合せ、として実装することもできる。
【０１０７】
本明細書において開示されている実施形態に関して説明されている方法又はアルゴリズムのステップは、ハードウェア内において直接具体化させること、プロセッサによって実行されるソフトウェアモジュール内において具体化させること、又はその両方の組合せにおいて具体化させることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、又は当業において既知であるその他のあらゆる形態の記憶媒体に常駐させることができる。１つの典型的な記憶媒体をプロセッサに結合させ、該プロセッサが該記憶媒体から情報を読み出すようにすること及び該記憶媒体に情報を書き込むようにすることができる。代替として、該記憶媒体は、プロセッサと一体化させることができる。さらに、該プロセッサ及び該記憶媒体は、ＡＳＩＣ内に常駐させることができる。該ＡＳＩＣは、ユーザー端末内に常駐することができる。代替として、該プロセッサ及び記憶媒体は、ユーザー端末内において個別構成要素として常駐することができる。
【０１０８】
開示されている実施形態に関する上記の説明は、当業者が本発明を製造又は使用できるようにすることを目的とするものである。又、これらの実施形態に対する様々な変形が加えられた場合には、当業者は、該変形を容易に理解することが可能である。さらに、本明細書において定められている一般原理は、本発明の精神及び適用範囲を逸脱しない形でその他の実施形態に対しても適用することができる。以上のように、本発明は、本明細書において示されている実施形態に限定することを意図するものではなく、本明細書において開示されている原理及び斬新な特長に一致する限りにおいて最も広範な適用範囲が認められることになることを意図するものである。
【図面の簡単な説明】
【０１０９】
【図１】複数のユーザーをサポートすることができる無線通信システムの一般的ブロック図である。
【図２】データ通信用に適合化されたシステム内において構成された移動局及び基地局の一例を示した図である。
【図３】移動局又は基地局等の無線通信デバイスのブロック図である。
【図４】サービスを提供する基地局及びサービスを提供しない基地局を制御するためのシステムの実施形態例を示した図である。
【図５】標準的なＦ−ＰＤＣＣＨ制御メッセージである。
【図６】本発明の一側面に従った変形Ｆ−ＰＤＣＣＨ制御メッセージである。
【図７】本発明の別の側面に従った遠隔局の動作を詳述した流れ図である。
【図８】本発明のさらに別の側面に従ったワイヤレスコミュニケータの動作を詳述した流れ図である。
【図１】
2007514378.tif 000003
【図２】
2007514378.tif 000004
【図３】
2007514378.tif 000005
【図４】
2007514378.tif 000006
【図５】
2007514378.tif 000007
【図６】
2007514378.tif 000008
【図７】
2007514378.tif 000009
【図８】
2007514378.tif 000010
【国際調査報告】
2007514378.tif 000011
2007514378.tif 000012